(57)【要約】  複数の周波数帯域を受信しているＣａｒｒｉｅｒ  Ａｇｇｒｅｇａｔｉｏｎ状態において、ハンドオーバ手順を容易に行なう。周波数帯域毎に受信処理を行なう複数の受信ブランチと、動作中の受信ブランチを、前記基地局装置から受信したハンドオーバ開始を示すハンドオーバ指示メッセージで示されたハンドオーバ先の周波数帯域に対応する受信ブランチに切り替える制御を行なう受信信号処理制御部１０と、を備え、ハンドオーバ指示メッセージで示されたハンドオーバ元の周波数帯域に対応する受信ブランチを停止すると共に、ハンドオーバ指示メッセージで示されたハンドオーバ先の周波数帯域に対応する受信ブランチを動作させることによって、ハンドオーバを行なう。
2010082521.tif 000002
【特許請求の範囲】
【請求項１】
一つまたは複数の基地局装置から送信される相互に異なる複数の周波数帯域の送信信号を受信する移動局装置であって、
前記周波数帯域毎に受信処理を行なう複数の受信ブランチと、
動作中の受信ブランチを、前記基地局装置から受信したハンドオーバ開始を示すハンドオーバ指示メッセージで示されたハンドオーバ先の周波数帯域に対応する受信ブランチに切り替える制御を行なう受信信号処理制御部と、を備え、
前記ハンドオーバ指示メッセージで示されたハンドオーバ元の周波数帯域に対応する受信ブランチを停止すると共に、ハンドオーバ指示メッセージで示されたハンドオーバ先の周波数帯域に対応する受信ブランチを動作させることによって、ハンドオーバを行なうことを特徴とする移動局装置。
【請求項２】
前記ハンドオーバ指示メッセージを受信した受信ブランチに対応する周波数帯域を、ハンドオーバ元の周波数帯域であると判断することを特徴とする請求項１記載の移動局装置。
【請求項３】
前記ハンドオーバ指示メッセージに基づいて、前記ハンドオーバ指示メッセージを受信した受信ブランチに対応する周波数帯域以外のいずれか一つの周波数帯域を、ハンドオーバ元の周波数帯域であると判断することを特徴とする請求項１記載の移動局装置。
【請求項４】
ハンドオーバが完了したことを示すハンドオーバ完了メッセージを、前記ハンドオーバ指示メッセージで示された周波数帯域で送信することを特徴とする請求項１から請求項３のいずれかに記載の移動局装置。
【請求項５】
ハンドオーバが完了したことを示すハンドオーバ完了メッセージを、ランダムアクセスチャネルの応答に含まれる制御情報で示された周波数帯域で送信することを特徴とする請求項１から請求項３のいずれかに記載の移動局装置。
【請求項６】
すべての前記受信ブランチが送信信号を受信している周波数帯域を、ハンドオーバ元の周波数帯域であると判断することを特徴とする請求項１記載の移動局装置。
【請求項７】
前記ハンドオーバ指示メッセージに基づいて、ハンドオーバ時にランダムアクセスチャネルの送信が必要であるかどうかを判断し、
前記判断の結果、ランダムアクセスチャネルの送信が不要である場合はランダムアクセス手順を省略してハンドオーバを行なう一方、ランダムアクセスチャネルの送信が必要である場合はランダムアクセス手順を伴うハンドオーバを行なうことを特徴とする請求項１から請求項４のいずれかに記載の移動局装置。
【請求項８】
相互に異なる複数の周波数帯域の送信信号を受信する移動局装置と無線通信を行なう基地局装置であって、
ハンドオーバ条件が成立した旨を示す測定報告メッセージを送信した移動局装置に対して、ハンドオーバ先の下り周波数帯域を指定する制御情報、およびハンドオーバが完了したことを通知するハンドオーバ完了メッセージを送信する上り周波数帯域を指定する制御情報を含めてハンドオーバ開始を示すハンドオーバ指示メッセージを前記移動局装置に対して送信することを特徴とする基地局装置。
【請求項９】
ハンドオーバ条件が成立した旨を示す測定報告メッセージを送信した移動局装置に対して、ランダムアクセス手順が必要であるか否かを判断し、前記判断に基づいて、ランダムアクセス手順の要否を指定する制御情報を含めてハンドオーバ開始を示すハンドオーバ指示メッセージを前記移動局装置に対して送信することを特徴とする請求項８記載の基地局装置。
【請求項１０】
ランダムアクセス不要識別子をハンドオーバ指示メッセージに含めることによって、ランダムアクセス手順が不要であることを前記移動局装置に通知することを特徴とする請求項９記載の基地局装置。
【請求項１１】
個別プリアンブルの番号の一部を予約し、前記個別プリアンブルの番号をハンドオーバ指示メッセージで指定することによって、ランダムアクセス手順が不要であることを前記移動局装置に通知することを特徴とする請求項９記載の基地局装置。
【請求項１２】
前記移動局装置が受信している下り周波数帯域に割り振られた周波数識別子と同じ周波数識別子をハンドオーバ指示メッセージに含めることによって、ランダムアクセス手順が不要であることを前記移動局装置に通知することを特徴とする請求項９記載の基地局装置。
【請求項１３】
前記移動局装置が使用している移動局装置ＩＤと同じ移動局装置ＩＤをハンドオーバ指示メッセージに含めることによって、ランダムアクセス手順が不要であることを前記移動局装置に通知することを特徴とする請求項９記載の基地局装置。
【請求項１４】
ハンドオーバ前に前記移動局装置がアクセスしていた上り周波数帯域のいずれかと同じ上り周波数帯域をハンドオーバ指示メッセージで指定することによって、ランダムアクセス手順が不要であることを前記移動局装置に通知することを特徴とする請求項９記載の基地局装置。
【請求項１５】
一つまたは複数の基地局装置から送信される相互に異なる複数の周波数帯域の送信信号を受信する移動局装置のハンドオーバ方法であって、
前記周波数帯域毎に受信処理を行なう複数の受信ブランチのうち、動作中の受信ブランチを、前記基地局装置から受信したハンドオーバ開始を示すハンドオーバ指示メッセージで示されたハンドオーバ先の周波数帯域に対応する受信ブランチに切り替える制御を行ない、前記ハンドオーバ指示メッセージに示されたハンドオーバ先の周波数帯域に対応する受信ブランチを停止させると共に、ハンドオーバ指示メッセージで示されたハンドオーバ先の周波数帯域に対応する受信ブランチを動作させることによって、ハンドオーバを行なうことを特徴とするハンドオーバ方法。
【請求項１６】
請求項１記載の移動局装置と、請求項８記載の基地局装置と、から構成されることを特徴とする移動通信システム。
【発明の詳細な説明】
【技術分野】
【０００１】
本発明は、移動局装置が、複数の周波数帯域を同時に受信している場合のハンドオーバの技術に関する。
【背景技術】
【０００２】
従来から、標準化団体３ＧＰＰ（3rd Generation Partnership Project）において第３世代の移動通信方式を進化させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以下、「ＥＵＴＲＡ」と呼称する。）、更にその発展形であるＡｄｖａｎｃｅｄ  ＥＵＴＲＡ（LTE-Advancedとも呼ばれる。）の検討が進められている（非特許文献１）。【０００３】
Ａｄｖａｎｃｅｄ  ＥＵＴＲＡでは、ＥＵＴＲＡとの互換性を維持しつつ、より高速なデータ伝送が可能な技術として、Ｃａｒｒｉｅｒ  Ａｇｇｒｅｇａｔｉｏｎが提案されている（例えば、非特許文献２、非特許文献３）。Ｃａｒｒｉｅｒ  Ａｇｇｒｅｇａｔｉｏｎとは、送信装置の最大送信帯域幅を超える受信帯域幅を持つ一つの受信機、または送信装置の最大送信帯域幅に等しい受信帯域幅を持つ複数の受信機を備える受信装置を設け、複数の異なる周波数帯域から送信された送信装置のデータを、受信装置において異なる周波数帯域に対応する受信機でそれぞれ受信することで、データレートを向上させる技術である。なお、以後は下り送信における受信装置のことを移動局装置、送信装置のことを基地局装置と記載し、上り送信における受信装置のことを基地局装置、送信装置のことを移動局装置と記載するが、本発明の適用範囲はこれらの装置に限定する必要は無い。【０００４】
ここで、通信中の移動局装置は、基地局装置から送信される信号の受信品質を測定し、現在通信中の基地局装置よりも品質が良好な基地局装置へ通信を順次切り替えるために、ハンドオーバ手順を行なう必要がある（非特許文献４、５．３．５．４節）。また、Ｃａｒｒｉｅｒ  Ａｇｇｒｅｇａｔｉｏｎ中の移動局装置であっても、通信継続の観点からハンドオーバ手順は必要であると考えられる。また、第３世代の移動通信方式であるＷ−ＣＤＭＡ（Wideband-Code Division Multiple Access）において、移動局装置が複数の基地局装置からの送信信号（無線リンク、Ｒａｄｉｏ  Ｌｉｎｋ）を同時に受信している状態でのハンドオーバ手順が規定されている（非特許文献５、８．３．５節）。
【先行技術文献】
【非特許文献】
【０００５】
【非特許文献１】3GPP TR36.913,Requirements for Further Advancements for E-UTRA.V8.0.0 http://www.3gpp.org/ftp/Specs/html-info/36913.htm
【非特許文献２】Motorola,R1-083821,3GPP TSG-RAN1 Meeting #54bis,Prague,CzechRepublic,Sep 29-Oct 3,2008
【非特許文献３】NTTDoCoMo,R1-083677,3GPP TSG-RAN1 Meeting #54bis,Prague,Czech Republic,Sep 29-Oct 3,2008
【非特許文献４】3GPP TS36.331,Radio Resource Control(RRC);Protocol specification.V8.4.0 http://www.3gpp.org/ftp/Specs/html-info/36331.htm
【非特許文献５】3GPP TS25.331,Radio Resource Control(RRC);Protocol specification.V8.5.0 http://www.3gpp.org/ftp/Specs/html-info/25331.htm
【発明の概要】
【発明が解決しようとする課題】
【０００６】
しかしながら、現在までにＡｄｖａｎｃｅｄ  ＥＵＴＲＡの移動局装置（以下、単に「移動局装置」と呼称する。）のハンドオーバ手順についての検討はされていない。特に、移動局装置がＣａｒｒｉｅｒ  Ａｇｇｒｅｇａｔｉｏｎによって複数の周波数帯域（Component Carrier：コンポーネントキャリア、キャリア要素とも呼ばれる。）を受信している場合、ハンドオーバによって変更されるコンポーネントキャリアを指示する方法について、非特許文献１から非特許文献４において何ら開示されていない。また、コンポーネントキャリアはそれぞれ異なる周波数帯域に存在するため、非特許文献５に示されるような、Ｗ−ＣＤＭＡにおける複数のＲａｄｉｏ  Ｌｉｎｋとは構造が異なるため、同様のハンドオーバ手順を用いることが出来ない。【０００７】
本発明は、このような事情に鑑みてなされたものであり、複数の周波数帯域を受信しているＣａｒｒｉｅｒ  Ａｇｇｒｅｇａｔｉｏｎ状態において、ハンドオーバ手順を容易に行なうことができる移動局装置、基地局装置、ハンドオーバ方法および移動通信システムを提供することを目的とする。
【課題を解決するための手段】
【０００８】
（１）上記の目的を達成するために、本発明は、以下のような手段を講じた。すなわち、本発明の移動局装置は、一つまたは複数の基地局装置から送信される相互に異なる複数の周波数帯域の送信信号を受信する移動局装置であって、前記周波数帯域毎に受信処理を行なう複数の受信ブランチと、動作中の受信ブランチを、前記基地局装置から受信したハンドオーバ開始を示すハンドオーバ指示メッセージで示されたハンドオーバ先の周波数帯域に対応する受信ブランチに切り替える制御を行なう受信信号処理制御部と、を備え、前記ハンドオーバ指示メッセージで示されたハンドオーバ元の周波数帯域に対応する受信ブランチを停止すると共に、ハンドオーバ指示メッセージで示されたハンドオーバ先の周波数帯域に対応する受信ブランチを動作させることによって、ハンドオーバを行なうことを特徴としている。【０００９】
このように、動作中の受信ブランチを、基地局装置から受信したハンドオーバ開始を示すハンドオーバ指示メッセージに示された受信すべき周波数帯域に対応する受信ブランチに切り替えるので、複数の周波数帯域を受信中の状態において、効率的なハンドオーバを実現することが可能となる。例えば、移動局装置がＣａｒｒｉｅｒ  Ａｇｇｒｅｇａｔｉｏｎによって複数の周波数帯域を受信している場合、Ｃａｒｒｉｅｒ  Ａｇｇｒｅｇａｔｉｏｎに関する測定報告と、それ以外の測定報告とを区別して制御することが可能となる。これにより、基地局装置に対して不要な測定結果を送信する必要がなくなるため、上り送信リソースを有効に活用することが可能となる。【００１０】
（２）また、本発明の移動局装置は、前記ハンドオーバ指示メッセージを受信した受信ブランチに対応する周波数帯域を、ハンドオーバ元の周波数帯域であると判断することを特徴としている。【００１１】
このように、ハンドオーバ指示メッセージを受信した受信ブランチに対応する周波数帯域を、ハンドオーバ元の周波数帯域であると判断するので、移動局装置がＣａｒｒｉｅｒ  Ａｇｇｒｅｇａｔｉｏｎによって複数の周波数帯域を受信している場合、ハンドオーバ元の周波数帯域を明確に把握することが可能となる。【００１２】
（３）また、本発明の移動局装置は、前記ハンドオーバ指示メッセージに基づいて、前記ハンドオーバ指示メッセージを受信した受信ブランチに対応する周波数帯域以外のいずれか一つの周波数帯域を、ハンドオーバ元の周波数帯域であると判断することを特徴としている。【００１３】
このように、ハンドオーバ指示メッセージに基づいて、ハンドオーバ指示メッセージを受信した受信ブランチに対応する周波数帯域以外のいずれか一つの周波数帯域を、ハンドオーバ元の周波数帯域であると判断するので、ハンドオーバ指示メッセージの受信成功確率およびハンドオーバ成功確率を向上させることが可能となる。すなわち、ハンドオーバが指示されるということは、比較的受信品質が悪い周波数帯域であることを意味するため、この周波数帯域ではハンドオーバ指示メッセージの受信を失敗する確率も高い。そこで、例えば、Ｃａｒｒｉｅｒ  Ａｇｇｒｅｇａｔｉｏｎされている他の周波数帯域でハンドオーバ指示メッセージを送信することによって、ハンドオーバ指示メッセージの受信成功確率ならびにハンドオーバ成功確率を向上させることが可能となる。【００１４】
（４）また、本発明の移動局装置は、ハンドオーバが完了したことを示すハンドオーバ完了メッセージを、前記ハンドオーバ指示メッセージで示された周波数帯域で送信することを特徴としている。【００１５】
このように、ハンドオーバが完了したことを示すハンドオーバ完了メッセージを、前記ハンドオーバ指示メッセージで示された周波数帯域で送信するので、ハンドオーバ完了メッセージの送信確率が向上し、その結果、ハンドオーバの成功確率を向上させることが可能となる。【００１６】
（５）また、本発明の移動局装置は、ハンドオーバが完了したことを示すハンドオーバ完了メッセージを、ランダムアクセスチャネルの応答に含まれる制御情報で示された周波数帯域で送信することを特徴としている。【００１７】
ハンドオーバが完了したことを示すハンドオーバ完了メッセージを、ランダムアクセスチャネルの応答に含まれる制御情報で示された周波数帯域で送信するので、ハンドオーバ完了メッセージの送信確率が向上し、その結果、ハンドオーバの成功確率を向上させることが可能となる。【００１８】
（６）また、本発明の移動局装置は、すべての前記受信ブランチが送信信号を受信している周波数帯域を、ハンドオーバ元の周波数帯域であると判断することを特徴としている。【００１９】
このように、すべての受信ブランチが送信信号を受信している周波数帯域を、ハンドオーバ元の周波数帯域であると判断するので、ハンドオーバ手順を簡略化させることが可能となる。【００２０】
（７）また、本発明の移動局装置は、前記ハンドオーバ指示メッセージに基づいて、ハンドオーバ時にランダムアクセスチャネルの送信が必要であるかどうかを判断し、前記判断の結果、ランダムアクセスチャネルの送信が不要である場合はランダムアクセス手順を省略してハンドオーバを行なう一方、ランダムアクセスチャネルの送信が必要である場合はランダムアクセス手順を伴うハンドオーバを行なうことを特徴としている。【００２１】
このように、ハンドオーバ指示メッセージに基づいて、ハンドオーバ時にランダムアクセスチャネルの送信が必要であるかどうかを判断し、ランダムアクセスチャネルの送信が不要である場合はランダムアクセス手順を省略してハンドオーバを行なう一方、ランダムアクセスチャネルの送信が必要である場合はランダムアクセス手順を伴うハンドオーバを行なうので、上り同期を確立するためにランダムアクセスチャネルを送信する必要が無い場合、ランダムアクセス手順を省略させることが可能となり、ハンドオーバ手順に必要な処理時間を短縮することが可能となる。その結果、通信の瞬断を削減することができ、通信品質を向上させることができる。また、ランダムアクセス手順の省略により、ハンドオーバ時に必要な消費電力を削減することができる。【００２２】
（８）また、本発明の基地局装置は、相互に異なる複数の周波数帯域の送信信号を受信する移動局装置と無線通信を行なう基地局装置であって、ハンドオーバ条件が成立した旨を示す測定報告メッセージを送信した移動局装置に対して、ハンドオーバ先の下り周波数帯域を指定する制御情報、およびハンドオーバが完了したことを通知するハンドオーバ完了メッセージを送信する上り周波数帯域を指定する制御情報を含めてハンドオーバ開始を示すハンドオーバ指示メッセージを前記移動局装置に対して送信することを特徴としている。【００２３】
このように、ハンドオーバ条件が成立した旨を示す測定報告メッセージを送信した移動局装置に対して、ハンドオーバ先の下り周波数帯域を指定する制御情報、およびハンドオーバが完了したことを通知するハンドオーバ完了メッセージを送信する上り周波数帯域を指定する制御情報を含めてハンドオーバ開始を示すハンドオーバ指示メッセージを前記移動局装置に対して送信するので、移動局装置がＣａｒｒｉｅｒ  Ａｇｇｒｅｇａｔｉｏｎ状態で複数の周波数帯域を受信している場合であっても、ハンドオーバ指示メッセージに、ハンドオーバ後に受信を停止するキャリア要素の情報を含める必要が無いため、シグナリングの情報量を減らすことが可能となる。また、ハンドオーバ完了メッセージを送信するキャリア要素を基地局装置から指定することで、ハンドオーバ完了メッセージの送達確率が向上し、ハンドオーバ成功確率を向上させることが可能となる。【００２４】
（９）また、本発明の基地局装置は、ハンドオーバ条件が成立した旨を示す測定報告メッセージを送信した移動局装置に対して、ランダムアクセス手順が必要であるか否かを判断し、前記判断に基づいて、ランダムアクセス手順の要否を指定する制御情報を含めてハンドオーバ開始を示すハンドオーバ指示メッセージを前記移動局装置に対して送信することを特徴としている。【００２５】
このように、ハンドオーバ条件が成立した旨を示す測定報告メッセージを送信した移動局装置に対して、ランダムアクセス手順が必要であるか否かを判断し、前記判断に基づいて、ランダムアクセス手順の要否を指定する制御情報を含めてハンドオーバ開始を示すハンドオーバ指示メッセージを前記移動局装置に対して送信するので、上り同期を確立するためにランダムアクセスチャネルを送信する必要が無い場合、ランダムアクセス手順を省略させることが可能となり、ハンドオーバ手順に必要な処理時間を短縮することが可能となる。その結果、通信の瞬断を削減することができ、通信品質を向上させることができる。また、移動局装置においては、ランダムアクセス手順の省略により、ハンドオーバ時に必要な消費電力を削減することができる。【００２６】
（１０）また、本発明の基地局装置は、ランダムアクセス不要識別子をハンドオーバ指示メッセージに含めることによって、ランダムアクセス手順が不要であることを前記移動局装置に通知することを特徴としている。【００２７】
このように、ランダムアクセス不要識別子をハンドオーバ指示メッセージに含めることによって、ランダムアクセス手順が不要であることを移動局装置に通知するので、移動局装置では、ランダムアクセス手順を省略し、高速なハンドオーバを実行することが可能となる。【００２８】
（１１）また、本発明の基地局装置は、個別プリアンブルの番号の一部を予約し、前記個別プリアンブルの番号をハンドオーバ指示メッセージで指定することによって、ランダムアクセス手順が不要であることを前記移動局装置に通知することを特徴としている。【００２９】
このように、個別プリアンブルの番号の一部を予約し、個別プリアンブルの番号をハンドオーバ指示メッセージで指定することによって、ランダムアクセス手順が不要であることを移動局装置に通知するので、移動局装置では、ランダムアクセス手順を省略し、高速なハンドオーバを実行することが可能となる。【００３０】
（１２）また、本発明の基地局装置は、前記移動局装置が受信している下り周波数帯域に割り振られた周波数識別子と同じ周波数識別子をハンドオーバ指示メッセージに含めることによって、ランダムアクセス手順が不要であることを前記移動局装置に通知することを特徴としている。【００３１】
このように、移動局装置が受信している下り周波数帯域に割り振られた周波数識別子と同じ周波数識別子をハンドオーバ指示メッセージに含めることによって、ランダムアクセス手順が不要であることを移動局装置に通知するので、移動局装置では、ランダムアクセス手順を省略し、高速なハンドオーバを実行することが可能となる。【００３２】
（１３）また、本発明の基地局装置は、前記移動局装置が使用している移動局装置ＩＤと同じ移動局装置ＩＤをハンドオーバ指示メッセージに含めることによって、ランダムアクセス手順が不要であることを前記移動局装置に通知することを特徴としている。【００３３】
このように、移動局装置が使用している移動局装置ＩＤと同じ移動局装置ＩＤをハンドオーバ指示メッセージに含めることによって、ランダムアクセス手順が不要であることを移動局装置に通知するので、移動局装置では、ランダムアクセス手順を省略し、高速なハンドオーバを実行することが可能となる。【００３４】
（１４）また、本発明の基地局装置は、ハンドオーバ前に前記移動局装置がアクセスしていた上り周波数帯域のいずれかと同じ上り周波数帯域をハンドオーバ指示メッセージで指定することによって、ランダムアクセス手順が不要であることを前記移動局装置に通知することを特徴としている。【００３５】
このように、ハンドオーバ前に移動局装置がアクセスしていた上り周波数帯域のいずれかと同じ上り周波数帯域をハンドオーバ指示メッセージで指定することによって、ランダムアクセス手順が不要であることを移動局装置に通知するので、移動局装置では、ランダムアクセス手順を省略し、高速なハンドオーバを実行することが可能となる。【００３６】
（１５）また、本発明のハンドオーバ方法は、一つまたは複数の基地局装置から送信される相互に異なる複数の周波数帯域の送信信号を受信する移動局装置のハンドオーバ方法であって、前記周波数帯域毎に受信処理を行なう複数の受信ブランチのうち、動作中の受信ブランチを、前記基地局装置から受信したハンドオーバ開始を示すハンドオーバ指示メッセージで示されたハンドオーバ先の周波数帯域に対応する受信ブランチに切り替える制御を行ない、前記ハンドオーバ指示メッセージに示されたハンドオーバ先の周波数帯域に対応する受信ブランチを停止させると共に、ハンドオーバ指示メッセージで示されたハンドオーバ先の周波数帯域に対応する受信ブランチを動作させることによって、ハンドオーバを行なうことを特徴としている。【００３７】
このように、動作中の受信ブランチを、基地局装置から受信したハンドオーバ開始を示すハンドオーバ指示メッセージに示された受信すべき周波数帯域に対応する受信ブランチに切り替えるので、複数の周波数帯域を受信中の状態において、効率的なハンドオーバを実現することが可能となる。例えば、移動局装置がＣａｒｒｉｅｒ  Ａｇｇｒｅｇａｔｉｏｎによって複数の周波数帯域を受信している場合、Ｃａｒｒｉｅｒ  Ａｇｇｒｅｇａｔｉｏｎに関する測定報告と、それ以外の測定報告とを区別して制御することが可能となる。これにより、基地局装置に対して不要な測定結果を送信する必要がなくなるため、上り送信リソースを有効に活用することが可能となる。【００３８】
（１６）また、本発明の移動通信システムは、上記（１）記載の移動局装置と、上記（８）記載の基地局装置と、から構成されることを特徴としている。【００３９】
この構成により、このように、動作中の受信ブランチを、基地局装置から受信したハンドオーバ開始を示すハンドオーバ指示メッセージに示された受信すべき周波数帯域に対応する受信ブランチに切り替えるので、複数の周波数帯域を受信中の状態において、効率的なハンドオーバを実現することが可能となる。例えば、移動局装置がＣａｒｒｉｅｒ  Ａｇｇｒｅｇａｔｉｏｎによって複数の周波数帯域を受信している場合、Ｃａｒｒｉｅｒ  Ａｇｇｒｅｇａｔｉｏｎに関する測定報告と、それ以外の測定報告とを区別して制御することが可能となる。これにより、基地局装置に対して不要な測定結果を送信する必要がなくなるため、上り送信リソースを有効に活用することが可能となる。
【発明の効果】
【００４０】
本発明によれば、複数の周波数帯域を受信中の状態において、効率的なハンドオーバを実現することが可能となる。
【図面の簡単な説明】
【００４１】
【図１Ａ】本発明の第１の実施形態における移動局装置の構成の一例を示すブロック図である。
【図１Ｂ】本発明の第１の実施形態におけるＣａｒｒｅｉｒ  Ａｇｇｒｅｇａｔｉｏｎと周波数帯域幅の関係を示す図である。
【図１Ｃ】本発明の第１の実施形態における移動局装置の無線受信部、直交復調器、ベースバンド復調部の詳細構成を示す図である。
【図１Ｄ】本発明の第１の実施形態における移動局装置の無線送信部、直交変調器、ベースバンド変調部の詳細構成を示す図である。
【図２】本発明の第１の実施形態における基地局装置の受信装置の一例を示すブロック図である。
【図３】本発明の第１の実施形態における基地局装置の送信装置の一例を示すブロック図である。
【図４Ａ】本発明の第１の実施形態におけるネットワーク構成を示す図である。
【図４Ｂ】本発明の第１の実施形態における別のネットワーク構成を示す図である。
【図５】本発明の第１の実施形態における下りキャリア要素と、上りキャリア要素の対応関係を示す図である。
【図６】本発明の第１の実施形態における基地局装置のハンドオーバキャリア要素判断手順を示すシーケンスチャートである。
【図７】本発明の第１の実施形態における移動局装置のハンドオーバ処理手順を示すシーケンスチャートである。
【図８】本発明の第１の実施形態における移動局装置の別のハンドオーバ処理手順を示すシーケンスチャートである。
【図９】本発明の第１の実施形態における基地局装置のハンドオーバキャリア要素判定処理の処理手順を示すフローチャートである。
【図１０】本発明の第１の実施形態における移動局装置のハンドオーバ処理の処理手順を示すフローチャートである。
【図１１】本発明の第２の実施形態における基地局装置のハンドオーバキャリア要素判断手順を示すシーケンスチャートである。
【図１２】本発明の第２の実施形態における移動局装置のハンドオーバ処理手順を示すシーケンスチャートである。
【図１３】本発明の第２の実施形態における移動局装置の別のハンドオーバ処理手順を示すシーケンスチャートである。
【図１４】本発明の第２の実施形態における基地局装置のメッセージ送信キャリア要素判定処理の処理手順を示すフローチャートである。
【図１５】本発明の第２の実施形態における移動局装置のハンドオーバ処理２の処理手順を示すフローチャートである。
【図１６】本発明の第３の実施形態における移動局装置のハンドオーバ処理手順を示すシーケンスチャートである。
【図１７】本発明の第３の実施形態における移動局装置のハンドオーバ処理３の処理手順を示すフローチャートである。
【図１８】本発明の第４の実施形態における移動局装置のハンドオーバ処理手順を示すシーケンスチャートである。
【図１９】本発明の第４の実施形態における移動局装置のハンドオーバ処理４の処理手順を示すフローチャートである。
【図２０】本発明の第４の実施形態における移動局装置のハンドオーバ処理４の別の処理手順を示すフローチャートである。
【図２１】Ｗ−ＣＤＭＡ方式におけるハードハンドオーバ手順を示すシーケンスチャートである。
【図２２】Ｗ−ＣＤＭＡ方式におけるソフトハンドオーバ手順を示すシーケンスチャートである。
【図２３】ＥＵＴＲＡにおけるハンドオーバ手順を示すシーケンスチャートである。
【図２４】Ｃａｒｒｉｅｒ  Ａｇｇｒｅｇａｔｉｏｎを用いた受信周波数帯域の増減の様子を示す図である。
【発明を実施するための形態】
【００４２】
以下、本発明の実施形態について図面を参照して説明する。まず、本発明に係る実施形態の基本となる技術について説明する。
【００４３】
（１）ハンドオーバ手順（ソフトハンドオーバ、ハードハンドオーバ）
図２１は、従来のＷ−ＣＤＭＡ方式におけるハードハンドオーバ手順を示すシーケンスチャートである。図２１では、移動局装置と、周波数帯域１を使用する第１の基地局装置〜第３の基地局装置と、周波数帯域２を使用する第４の基地局装置を示している。なお、第１の基地局装置〜第３の基地局装置は別の基地局装置でも良いし、同じ基地局装置の異なる送信装置であってもよい。
【００４４】
ここで、移動局装置は、第１の基地局装置〜第３の基地局装置からの送信信号を同時に受信している状態（ソフトハンドオーバ状態、ＳＨＯ状態）において（ステップＳ１００）、第１の基地局装置よりハンドオーバ指示メッセージが通知される（ステップＳ１０１）。なお、第２の基地局装置または第３の基地局装置からハンドオーバ指示メッセージが通知されても良い。ハンドオーバ指示メッセージに第４の基地局装置へのハンドオーバが指示されていた場合、移動局装置ではハンドオーバ処理が行なわれる（ステップＳ１０２）。ハンドオーバ処理において、ハンドオーバ指示メッセージに含まれる情報（ハンドオーバ先基地局情報、ハンドオーバタイミングなど）を基に、ハンドオーバ処理に関する準備を行なう。そして、ハンドオーバ指示メッセージにて通知されたハンドオーバタイミング（即時実行の場合もある）で、第１の基地局装置〜第３の基地局装置の送信信号の受信を停止し、受信周波数帯域を周波数帯域２へと切り替える。
【００４５】
移動局装置は、第４の基地局装置からの送信信号を基に下り同期を確立し、ランダムアクセスチャネルを送信することによって、上り同期の取得を試みる（ステップＳ１０３）。ランダムアクセルチャネルを受信した第４の基地局装置は、ランダムアクセス応答を送信し（ステップＳ１０４）、前記ランダムアクセス応答を正常に受信することが出来た移動局装置は、続いてハンドオーバ完了メッセージを第４の基地局装置へ向けて送信し、ハンドオーバ手順を完了する（ステップＳ１０５）。なお、ハンドオーバ指示メッセージに複数の基地局装置を含めることも可能であり、この場合、ハンドオーバ完了後に即座にＳＨＯ状態に移行することが可能である。
【００４６】
図２２は、従来のＷ−ＣＤＭＡ方式におけるソフトハンドオーバ手順を示すシーケンスチャートである。図２２では、移動局装置と、周波数帯域１を使用する第１の基地局装置〜第４の基地局装置を示している。なお、第１の基地局装置〜第４の基地局装置は別の基地局装置でも良いし、同じ基地局装置の異なる送信装置であってもよい。ここで、移動局装置は、第１の基地局装置〜第３の基地局装置からの送信信号を同時に受信している状態（ソフトハンドオーバ状態、ＳＨＯ状態）において（ステップＳ１０６）、第１の基地局装置より無線リンク更新メッセージ（Ａｃｔｉｖｅ  Ｓｅｔ  Ｕｐｄａｔｅメッセージ）が通知される（ステップＳ１０７）。なお、第２の基地局装置または第３の基地局装置から無線リンク更新メッセージが通知されても良い。例えば、無線リンク更新メッセージに第１の基地局装置からの送信信号を停止し、新たに第４の基地局装置の送信信号の受信が指示されていた場合、移動局装置では無線リンク更新処理が行なわれる（ステップＳ１０８）。
【００４７】
無線リンク更新処理において、無線リンク更新メッセージに含まれる情報（受信開始・停止を行なう基地局装置情報、無線リンク更新タイミングなど）を基に、無線リンク更新処理に関する準備を行なう。そして、無線リンク更新メッセージにて通知された無線リンク更新タイミング（即時実行の場合もある）で、第１の基地局装置の送信信号の受信を停止すると共に、第４の基地局装置の送信信号の受信を開始し、ＳＨＯ状態の更新を行なう。ランダムアクセスチャネルの送信は必要ない。
【００４８】
最後に、無線リンク更新完了メッセージを第２の基地局装置へ向けて送信し、無線リンク更新手順を完了する（ステップＳ１０９）。そして、起動局装置、第２、第３、第４の基地局装置において、ＳＨＯ状態となる（ステップＳ１１０）。なお、図では無線リンク更新完了メッセージを第２の基地局装置へ向けて送信しているが、実際は、ＳＨＯ状態となる第２の基地局装置〜第４の基地局装置のいずれかが無線リンク更新完了メッセージを受信できればよく、必ずしも第２の基地局装置へ送信する必要は無い。
【００４９】
図２３は、ＥＵＴＲＡにおけるハンドオーバ手順を示すシーケンスチャートである。図２３では、移動局装置がハンドオーバ元セルである第１の基地局装置と通信を行なっている状態から開始し、ハンドオーバ先セルである第２の基地局装置へハンドオーバする制御を示したものである。なお、第１の基地局装置〜第２の基地局装置は別の基地局装置でも良いし、同じ基地局装置の異なる送信装置であってもよい。
【００５０】
第１の基地局装置は、通信継続のためにハンドオーバが必要であると判断したとき、移動局装置に対し、下りリソース割当メッセージと共に、ハンドオーバ指示メッセージを通知する（ステップＳ１１１）。なお、リソースとは、送信周波数帯域、送信時間、変調方式、信号系列などの情報を示す。移動局装置が前記メッセージを受信することでハンドオーバ処理が実施される（ステップＳ１１２）。ハンドオーバ処理において、ハンドオーバ指示メッセージに含まれる情報（ハンドオーバ先基地局情報、ランダムアクセス情報など）を基に、ハンドオーバ処理に関する準備を行なう。
【００５１】
そして、ハンドオーバ指示メッセージを受信した後、必要に応じて無線周波数や送受信回路の制御パラメータの切り替えを行ない、第２の基地局装置との下り無線同期を確立するための下り同期確立処理を行なう。下り同期確立処理のためのパラメータは、先のハンドオーバ指示メッセージに含めるか、事前に第１の基地局装置より報知または通知される。下り同期確立が完了した移動局装置は、第２の基地局装置との上り同期確立のために、ランダムアクセスチャネルを送信する（ステップＳ１１３）。
【００５２】
本来、ランダムアクセスは衝突が発生しうる（コンテンションベース）のチャネルが用いられるが、衝突が発生しない（コンテンションフリー）ランダムアクセスチャネルを実現するため、前記ハンドオーバ指示メッセージにて個別プリアンブル系列（Dedicated Preamble）を事前に移動局装置毎に割り当てる。当該移動局装置は、ハンドオーバ指示メッセージで指定された個別プリアンブル系列を用いてランダムアクセスチャネルを送信し、前記個別プリアンブル系列を受信した第２の基地局装置は、当該移動局装置のハンドオーバが完了したと判断し、上り送信タイミング調整のための上り同期情報とハンドオーバ完了メッセージ送信のための上りリソース割当情報をランダムアクセス応答で通知する（ステップＳ１１４）。移動局装置は、前記情報を元に上り送信タイミングを調整し、指定された上りリソースを用いてハンドオーバ完了メッセージを送信し、ハンドオーバを完了する（ステップＳ１１５）。
【００５３】
（２）Ｃａｒｒｉｅｒ  Ａｇｇｒｅｇａｔｉｏｎ
図２４は、Ｃａｒｒｉｅｒ  Ａｇｇｒｅｇａｔｉｏｎを用いた受信周波数帯域の増減の様子を示す図である。Ｂａｎｄ１〜Ｂａｎｄ３は、それぞれ基地局装置が送信する下りの周波数帯域を示しており、その送信帯域幅は例えば２０ＭＨｚである。なお、Ｂａｎｄ１〜Ｂａｎｄ３は連続した周波数帯域であっても、全てまたは一部が不連続となる周波数帯域であってもよい。ただし、移動局装置は２０ＭＨｚ以上の受信帯域幅を持つ必要あり、本例では２０ＭＨｚの周波数帯域を同時に３つまで受信可能であり、その受信帯域幅の合計は６０ＭＨｚである。
【００５４】
図２４の例では、ある時間Ｔｉｍｅ１において、移動局装置はＢａｎｄ３の２０ＭＨｚを使用して基地局装置と通信を行なっており、同時にＢａｎｄ１〜Ｂａｎｄ２の受信品質の測定を行なっている。また、ある別の時間Ｔｉｍｅ２において、移動局装置はＢａｎｄ２が追加され、Ｂａｎｄ２とＢａｎｄ３の合計４０ＭＨｚを使用して基地局装置と通信を行なっており、同時にＢａｎｄ１の受信品質の測定を行なっている。また、ある別の時間Ｔｉｍｅ３において、移動局装置は更にＢａｎｄ１が追加され、Ｂａｎｄ１〜Ｂａｎｄ３の合計６０ＭＨｚを使用して基地局装置と通信を行なっている。また、ある別の時間Ｔｉｍｅ４において、移動局装置はＢａｎｄ２が削除され、Ｂａｎｄ１とＢａｎｄ３の合計４０ＭＨｚを使用して基地局装置と通信を行なっており、同時にＢａｎｄ２の受信品質の測定を行なっている。
【００５５】
このように、Ｃａｒｒｉｅｒ  Ａｇｇｒｅｇａｔｉｏｎを用いることで基地局装置の構成を大きく変えることなく、データレートを大幅に向上させることが可能となる。なお、Ｔｉｍｅ１〜Ｔｉｍｅ４の時間長は可変である。通信方式としてＯＦＤＭＡ（Orthogonal Frequency Division Multiplexing Access）を使用する場合、Ｃａｒｒｉｅｒ  Ａｇｇｒｅｇａｔｉｏｎされている各周波数帯域のＯＦＤＭシンボルタイミングが等しい必要がある。ＯＦＤＭシンボルタイミングが等しいとは、移動局装置の受信アンテナ端において各周波数帯域のＯＦＤＭシンボルの受信タイミングのずれがガードタイム以内に収まることを意味する。Ｂａｎｄについて、例えば、使用可能な周波数帯域が８００ＭＨｚ帯域、２．４ＧＨｚ帯域、３．４ＧＨｚ帯域である場合、Ｂａｎｄ１が８００ＭＨｚ帯域、Ｂａｎｄ２が２ＧＨｚ帯域、Ｂａｎｄ３が３．４ＧＨｚ帯域のいずれか２０ＭＨｚ下りコンポーネントキャリアで送信されていてもよい。また、同一周波数帯域、例えば２．４ＧＨｚ帯域内の連続または不連続の複数の２０ＭＨｚの下りコンポーネントキャリアで送信されていてもよい。Ｂａｎｄの数は３以上でもよい。各Ｂａｎｄの周波数帯域幅は２０ＭＨｚより狭い帯域幅であっても良い。
【００５６】
（３）物理チャネル
ＥＵＴＲＡおよびＡｄｖａｎｃｅｄ  ＥＵＴＲＡで使用される物理チャネルは、物理報知情報チャネル、上りデータチャネル、下りデータチャネル、下り共用制御チャネル、上り共用制御チャネル、ランダムアクセスチャネル、同期シグナル、下りリファレンスシグナル、上りリファレンスシグナルなどがある。
【００５７】
物理チャネルはＥＵＴＲＡ、およびＡｄｖａｎｃｅｄ  ＥＵＴＲＡにおいて、今後追加、または、チャネル構造が変更される可能性もあるが、変更された場合でも本発明の各実施形態の説明には影響しない。物理報知情報チャネル（ＰＢＣＨ：Physical Broadcast Channel）は、セル内の移動局装置で共通に用いられる制御パラメータ（報知情報）を通知する目的で送信される。物理報知情報チャネルで通知されない報知情報は、下り共用制御チャネルで送信リソースが通知され、下りデータチャネルを用いて送信される。報知情報として、システムでユニークなセルグローバルＩＤや、上り周波数帯域情報などがある。
【００５８】
下りリファレンスシグナルは、セル毎に所定の電力で送信されるパイロットシグナルである。また、下りリファレンスシグナルは、所定の時間間隔（例えば１フレーム）で周期的に繰り返される信号であり、移動局装置は、所定の時間間隔において下りリファレンスシグナルを受信し、受信品質を測定することによって、セル毎の受信品質の判断に用いる。また、下りリファレンスシグナルと同時に送信される下りデータの復調のための参照用の信号として用いる。下りリファレンスシグナルに使用される系列は、セル毎に一意に識別可能な系列であれば、任意の系列を用いても良い。なお、下りリファレンスシグナルはＤＬ−ＲＳ（Downlink Reference Signal）と記載される場合もあるが、その用途と意味は同じである。
【００５９】
下り共用制御チャネル（ＰＤＣＣＨ：Physical Downlink Common Channel）は、各サブフレームの先頭数シンボルで送信され、移動局装置に対して基地局装置のスケジューリングに従ったリソース割当て情報や、送信電力の調整量を指示する目的で使用される。移動局装置は、トラフィックデータ（ユーザデータ）や制御メッセージを送受信する前に下り共用制御チャネルを受信し、送信時には上りリソース割当てを、受信時には下りリソース割当ての情報を取得する必要がある。
【００６０】
ランダムアクセスチャネル（ＰＲＡＣＨ：Physical Random Access Channel）は、プリアンブル系列を送信するために使用されるチャネルであり、ガードタイムを持つ。ランダムアクセルチャネルは、上り送信タイミングが非同期状態におけるアクセス手順として用いられ、リソース要求や上り送信タイミングの調整に用いられる。なお、それ以外の物理チャネルは、本発明の各実施形態に関わらないため詳細な説明は省略する。
【００６１】
（第１の実施形態）
次に、本発明の第１の実施形態について説明する。図１Ａは、本発明の第１の実施形態に係る移動局装置の構成の一例を示すブロック図である。また、図１Ｂは、本実施形態で想定しているＣａｒｒｉｅｒ  Ａｇｇｒｅｇａｔｉｏｎを示す図である。移動局装置構成は、対応する周波数帯域（例えば８００ＭＨｚバンド、２．４ＧＨｚバンド、３．４ＧＨｚバンド）により、複数の送受信部により構成されている。図１Ａは図１Ｂに示したＣａｒｒｉｅｒ  Ａｇｇｒｅｇａｔｉｏｎに対応可能な移動局装置構成を示す。
【００６２】
周波数帯域１に対応する受信部は、受信アンテナ１−１、送受信アンテナ共用器ＤＵＰ２−１、無線受信部３−１、下りコンポーネントキャリア中心周波数ｆ＿Ｒｘ１に対応する直交復調器４−１、ベースバンド復調部５−１、下りコンポーネントキャリア中心周波数ｆ＿Ｒｘ２に対応する直交復調器４−２、ベースバンド復調部５−２により構成される。また、周波数帯域２に対応する受信部は、受信アンテナ１−２、送受信アンテナ共用器ＤＵＰ２−２、無線受信部３−２、下りコンポーネントキャリア中心周波数ｆ＿Ｒｘ３に対応する直交復調器４−３、ベースバンド復調部５−３、下りコンポーネントキャリア中心周波数ｆ＿Ｒｘ４に対応する直交復調器４−４、ベースバンド復調部５−４により構成される。さらに共通部分として、ディマッピング部６、送受信帯域設定部８、受信信号処理制御部１０、制御メッセージ処理部１２、測定処理部１８、ハンドオーバ制御部１６を備える。
【００６３】
図１Ｃは、ダイレクトコンバージョン方式を一例として、無線受信部、直交復調器、ベースバンド復調部の詳細構成を示す図である。図１Ａには、これらが複数存在するものとして示しているが、いずれの構成も同様である。なお、スーパーヘテロダイン方式など他の受信方式でもよい。１つの下りコンポーネントキャリア信号の受信に着目して、受信部は、無線受信部、直交復調器、ベースバンド復調部で構成される。例えば、中心周波数ｆ＿Ｒｘ１、周波数帯域幅２０ＭＨｚの下りコンポーネントキャリア信号が基地局装置から送信され、受信アンテナ１−１、ＬＮＡ（Low Noise Amplifier）３−１−１、ＲＦ受信帯域制限フィルターＲｘ＿ＢＰＦ（例えば２．４ＧＨｚ受信バンドを中心に６０ＭＨｚ通過帯域を持つフィルター）３−１−２により受信される。
【００６４】
中心周波数ｆ＿Ｒｘ１の下りコンポーネントキャリア信号は、ＡＭＰ４−１−１、ＬＰＦ４−１−２等を含む直交復調器４−１を通じて、ベースバンド復調部に入力され、ＡＤＣ（Analog to Digital Converter）部５−１−１ａによりアナログ信号がデジタル信号に変換され、受信帯域制限のデジタルフィルターＲｘ＿ＤＦ（例えば下りコンポーネントキャリア信号帯域）５−１−２、サイクリックプレフィックス除去部５−１−３、直列・並列変換部５−１−４、高速フーリエ変換部５−１−５、同期検波部５−１−６、並列・直列変換部５−１−７を通じて、ＯＦＤＭ復調信号が生成される。
【００６５】
図１Ａでは、図１Ｂに示した下りコンポーネントキャリアの周波数帯域と等しい受信アンテナ本数、下りコンポーネントキャリアのキャリア中心周波数の数に等しい無線受信部の例を示しているが、無線デバイスの広帯域化、高性能化により受信アンテナまたは無線受信部の一部または全部が共通化される構成であってもよく、更に受信アンテナ本数、無線受信部の数が、下りコンポーネントキャリアの数よりも多い構成でもよい。
【００６６】
ここで、一般化のために、Ｃａｒｒｉｅｒ  Ａｇｇｒｅｇａｔｉｏｎに対応する各下りコンポーネントキャリアに対して、１つの下りコンポーネントキャリア受信ブランチを定義する。例えば、下りコンポーネントキャリアｆ＿Ｒｘ１の受信ブランチであるｆ＿Ｒｘ１受信ブランチは、受信アンテナ１−１、送受信アンテナ共用器ＤＵＰ２−１、無線受信部３−１、直交復調器４−１、ベースバンド復調部５−１が含まれる。受信ブランチのオンオフ制御とは、対応する下りコンポーネントキャリアの受信可否を制御し、ハードウェアの構成、デバイスの構成により、受信ブランチの一部または全部のデバイスの機能をオンまたはオフすることを意味する。例えば、図１Ａの場合、ｆ＿Ｒｘ１受信ブランチのオフは、直交復調器４−１、ベースバンド復調部５−１の機能の一部または全部を停止して消費電力を削減することを意味する。ｆ＿Ｒｘ３、〜４受信ブランチのオフは、直交復調器４−３〜４−４、ベースバンド復調部５−３〜５−４および無線受信部３−２の機能の一部または全部を停止して消費電力を削減することを意味する。
【００６７】
下りコンポーネントキャリアｆ＿Ｒｘ１〜２の受信信号（基地局装置からの送信信号）は、受信アンテナ１−１を介して、対応するｆ＿Ｒｘ１〜２受信ブランチにおいて受信される。受信ブランチの数は、当該移動局装置が同時に受信可能な周波数帯域の数、すなわち下りコンポーネントキャリアの数に等しい。
【００６８】
送受信帯域設定部８には、送受信制御情報が入力される。送受信制御情報は、周波数帯域（例えば、２．４ＧＨｚバンド）、下りコンポーネントキャリア中心周波数（例えば、ｆ＿Ｒｘ１〜２）、下りコンポーネントキャリア帯域幅（例えば２０ＭＨｚ）の他に、各チャネルに関する受信タイミング、多重方法、リソース配置情報などの情報が含まれている。送受信帯域設定部８は、各受信ブランチに対して受信する周波数帯域、下りコンポーネントキャリア中心周波数および下りコンポーネントキャリア帯域幅を設定する。受信ブランチは、送受信制御情報に従い、設定された下りコンポーネントキャリア信号を受信し、ディマッピング部６により信号を分離される。
【００６９】
下りスケジューリング情報は、受信信号処理制御部１０に入力される。下りスケジューリング情報は、受信信号の復調情報などが含まれている。受信信号処理制御部１０は、各受信ブランチのベースバンド復調部５−１〜５−４へ下りスケジューリング情報を設定し、受信ブランチのベースバンド復調部５−１〜５−４において、それぞれの下りコンポーネントキャリア受信信号の復調を行なう。復調後の下りコンポーネントキャリア受信信号がディマッピング部６を経て、上位レイヤからの下り制御メッセージ（レイヤ３メッセージ）であった場合、制御メッセージ処理部１２に入力される。また、測定情報に関する結果は測定処理部１８に入力される。
【００７０】
ディマッピング部６により信号を分離される測定情報以外の情報、例えばユーザのトラフィックデータである受信データや下位レイヤにおける下り制御データなどは、その他の情報として個別の処理ブロックに入力されるが、これらは本実施形態に関係ないため説明を省略する。
【００７１】
制御メッセージ処理部１２は、基地局装置からの下り制御メッセージが入力され、下り制御メッセージ内容に応じた制御処理を行ない、その結果を下り制御データとして上位レイヤに通知する。下り制御メッセージがハンドオーバに関するメッセージ（ハンドオーバ指示メッセージ）である場合、ハンドオーバ制御部１６へメッセージを送信する。
【００７２】
ハンドオーバ制御部１６は、ハンドオーバ指示メッセージよりハンドオーバ手順時に使用される情報（ハンドオーバ先の報知情報、上り・下りチャネル情報など）を取り出し、ハンドオーバメッセージとして上位レイヤに通知する。測定処理部１８は、測定結果に対して時間平均などの処理や、受信品質の判定などの処理を行ない、得られた結果を測定結果として上位レイヤに通知する。
【００７３】
次に、本発明の第１の実施形態による移動局装置の送信部について説明する。周波数帯域１に対応する送信部は、送信アンテナ１−１、送受信アンテナ共用器ＤＵＰ２−１、無線送信部１３−１、上りコンポーネントキャリア中心周波数ｆ＿Ｔｘ１に対応する直交変調器１４−１、ベースバンド変調部１５−１、上りコンポーネントキャリア中心周波数ｆ＿Ｔｘ２に対応する直交変調器１４−２、ベースバンド変調部１５−２により構成される。また、周波数帯域２に対応する送信部は、受信アンテナ１−２、送受信アンテナ共用器ＤＵＰ２−２、無線送信部１３−２、上りコンポーネントキャリア中心周波数ｆ＿Ｔｘ３に対応する直交変調器１４−３、ベースバンド変調部１５−３、上りコンポーネントキャリア中心周波数ｆ＿Ｔｘ４に対応する直交変調器１４−４、ベースバンド変調部１５−４により構成される。さらに共通部分として、マッピング部７、送受信帯域設定部８、送信信号処理制御部９、ランダムアクセス生成部１１、上り制御メッセージ生成部１７がある。
【００７４】
図１Ｄは、ダイレクトコンバージョン方式を一例として、無線送信部、直交変調器、ベースバンド変調部の詳細構成を示す図である。図１Ａには、これらが複数存在するものとして示しているが、いずれの構成も同様である。なお、スーパーヘテロダイン方式など他の送信方式でもよい。１つの上りコンポーネントキャリア信号の送信に着目して、送信部は、無線送信部、直交変調器とベースバンド変調部に構成される。送信データ（ユーザ上りトラフィックデータ、制御データ、参照信号など）はマッピング部７に入力され、所定の上り無線フレームデータを生成し、各ベースバンド変調部１５−１〜１５−４に入力され、直列・並列変換部１５−１−１で直列／並列データ変換を行ない、変調部１５−１−１で所定のシンボル座標変換によりＢＰＳＫ、ＱＰＳＫなど位相変調を行ない、逆高速フーリエ変換部１５−１−３によりＯＦＤＭ信号に変換する。
【００７５】
Ｉ／Ｑ相のＯＦＤＭ信号はそれぞれ並列・直列変換部１５−１−４により変換され、それぞれのサイクリックプレフィックス挿入部１５−１−５に入力され、サイクリックプレフィックスが追加され、送信帯域制限のデジタルフィルターＴｘ＿ＤＦ１５−１−６（例えば上りコンポーネントキャリア信号帯域）に入力される。デジタル信号のＯＦＤＭ信号は、ＤＡＣ（Digital to Analog Converter）部１５−１−７よりデジタル信号がアナログ信号に変換され、ＬＰＦ１４−１−１、ＡＭＰ１４−１−２等を有する直交変調器１４−１により直交変調を行なう。
【００７６】
無線送信部１３−１において、中心周波数ｆ＿Ｔｘ１の上りコンポーネントキャリア信号が生成され、ＲＦ（Radio Frequency）送信帯域フィルターＴｘ＿ＢＰＦ１３−１−１（例えば２．４ＧＨｚ送信バンドを中心に６０ＭＨｚ通過帯域を持つフィルター）、ＰＡ１３−１−２（Power Amplifier）、アンテナ共用器ＤＵＰ１を通じて、送信共用アンテナから上りコンポーネントキャリア信号が基地局装置に送信される。この構成例は、ＯＦＤＭ信号の上りコンポーネントキャリアを生成しているが、ＳＣ−ＦＤＭＡ（Single-Carrier Frequency-Division Multiple Access）の構成でＳＣ−ＦＤＭＡ信号の上りコンポーネントキャリアを生成することもよい。
【００７７】
送信部は、上り制御メッセージ生成部１７、ランダムアクセス生成部１１、送信信号処理制御部９、マッピング部７、送受信帯域設定部８、ベースバンド変調部１５−１〜１５−４、直交変調器１４−１〜１４−４、無線送信部１３−１、１３−２から構成される。図１Ａでは、図１Ｂに示した上りコンポーネントキャリアの周波数帯域と等しい送信アンテナ本数、上りコンポーネントキャリアのキャリア中心周波数の数に等しい無線送信部の例を示しているが、無線デバイスの広帯域化、高性能化により一部または全部が共通化される構成であってもよく、更に送信アンテナ本数、無線送信部の数が、上りコンポーネントキャリアの数よりも多い構成でもよい。
【００７８】
ここで、一般化のために、Ｃａｒｒｉｅｒ  Ａｇｇｒｅｇａｔｉｏｎに対応する各上りコンポーネントキャリアに対して、１つの上りコンポーネントキャリア送信ブランチを定義する。例えば、上りコンポーネントキャリアｆ＿Tｘ１の送信ブランチであるｆ＿Tｘ１送信ブランチは、送信アンテナ１−１、送受信アンテナ共用器ＤＵＰ２−１、無線送信部１３−１、直交変調器１４−１、ベースバンド変調部１５−１が含まれる。送信ブランチのオンオフ制御とは、対応する上りコンポーネントキャリアの送信可否を制御し、ハードウェアの構成、デバイスの構成により、送信ブランチの一部または全部のデバイスの機能をオンまたはオフすることを意味する。例えば、図１Ａの場合、ｆ＿Tｘ１送信ブランチのオフは、直交変調器１４−１、ベースバンド変調部１５−１の機能の一部または全部を停止して消費電力を削減することを意味する。
【００７９】
ｆ＿Tｘ３〜４送信ブランチのオフは、直交変調器１４−３〜１４−４、ベースバンド変調部１５−３〜１５−４および無線送信部１３−２の機能の一部または全部を停止して消費電力を削減することを意味する。
【００８０】
上り制御メッセージ生成部１７には、上位レイヤの指示に従い適切なタイミングで基地局装置に通知する上り制御メッセージ（レイヤ３メッセージ）の生成に必要な情報が入力される。上り制御メッセージ生成部１７は、入力された情報に応じて各制御メッセージを生成し、マッピング部７によりチャネルマッピングを行ない、各ベースバンド変調部１５−１〜１５−４へと出力する。送信データに含まれる上りユーザトラフィックデータと上り制御データなどが、マッピング部７によりチャネルマッピングされ、ベースバンド変調部１５−１〜１５−４に入力される。
【００８１】
また、ランダムアクセス情報がランダムアクセス生成部１１に入力され、ランダムアクセスデータが生成される。ランダムアクセス情報には、プリアンブル情報や送信リソース情報などが含まれる。上りスケジューリング情報は、送信信号処理制御部９へ入力される。上りスケジューリング情報は、各物理チャネルに関する送信信号の変調情報（例えばＢＰＳＫ、ＱＰＳＫなど）、リソースブロック配置情報、送信タイミング、多重方法などが含まれている。送信信号処理制御部９は、ベースバンド変調部１５−１〜１５−４、マッピング部７に上りスケジューリング情報を設定し、ベースバンド変調部１５−１〜１５−４は、入力された各データのＯＦＤＭ信号変調を行なう。
【００８２】
ベースバンド変調部１５−１〜１５−４により生成された各コンポーネントキャリアが直交変調器１４−１〜１４−４に入力され、無線送信部１３−１〜１３−２を通じて、上りコンポーネントキャリアが送信される。送受信帯域設定部８は、各送信ブランチに対して、送信する周波数帯域（例えば、２．４ＧＨｚバンド）、上りコンポーネントキャリア中心周波数（例えば、ｆ＿Ｔｘ１〜２）、上りコンポーネントキャリア帯域幅（例えば２０ＭＨｚ）を設定する。
【００８３】
図２は、本発明の第１の実施形態による基地局装置の受信装置の構成の一例を示すブロック図である。本受信装置は、アンテナ２０、受信部２１、受信信号処理制御部２２、受信信号処理部２３、上りメッセージ処理部２４、ランダムアクセス処理部２５、基地局間メッセージ処理部２６から構成される。受信信号（移動局装置からの送信信号）は、アンテナ２０を介して受信部２１において受信される。また、基地局間受信信号（基地局装置からの送信信号）は周辺の基地局装置から周期的またはイベント的に送信され、基地局間メッセージ処理部２６に入力される。
【００８４】
受信部２１において、受信信号は基地局受信制御情報を基に受信される。基地局受信制御情報は、移動局装置毎の各チャネルに関する受信タイミング、多重方法、リソース配置情報などの情報が含まれている。受信部２１は、基地局受信制御情報に従って受信した信号を受信信号処理部２３へと出力する。受信信号処理制御部２２には、基地局上りスケジューリング情報が入力される。基地局上りスケジューリング情報は、受信信号の復調情報などが含まれている。受信信号処理制御部２２は、受信信号処理部２３へ上りスケジューリング情報を設定する。
【００８５】
受信信号処理部２３は、入力信号を移動局装置毎に分け、更にチャネル毎に適切に復調する。入力信号が移動局装置からの上りメッセージであるとき、上りメッセージ処理部２４へ出力される。入力信号がランダムアクセスチャネルより取得されるランダムアクセス信号であった場合、ランダムアクセス処理部２５へ出力される。受信信号処理部２３で処理される前記以外の信号、例えばユーザのトラフィックデータや上り制御データ、その他の制御メッセージなどは、その他の情報として個別の処理ブロックに入力されるが、これらは本実施形態に関係ないため、その説明を省略する。
【００８６】
上りメッセージ処理部２４は、各上りメッセージに含まれる制御パラメータを取得し、上位レイヤに出力する。基地局間メッセージ処理部２６は、各基地局間メッセージに含まれる基地局制御パラメータを取得し、上位レイヤに出力する。ランダムアクセス処理部２５は、受信したランダムアクセス信号より移動局装置が送信したプリアンブル系列を判定し、プリアンブル系列から得られる情報（プリアンブル受信品質や、プリアンブル番号など）を上位レイヤに出力する。特に、プリアンブル系列が個別プリアンブル系列であれば、移動局装置がハンドオーバ手順中のランダムアクセスであると判断し、その判断結果を上位レイヤに出力する。
【００８７】
図３は、本発明の第１の実施形態による基地局装置の送信装置の一例を示すブロック図である。本送信装置は、Ａｇｇｒｅｇａｔｉｏｎ判定部３１、ハンドオーバ判定部３２、下りメッセージ生成部３３、送信信号処理部３４、送信信号処理制御部３５、チャネルマッピング部３６、送信帯域設定部３７、送信部３８−１〜３８−ｎ、基地局間メッセージ生成部３９、およびアンテナ４０−１〜４０−ｎから構成される。図３では、送信部と送信信号処理部はアンテナ本数（ｎ本）に等しい例を示しているが、送信部（送信機）数を減らすためにその一部または複数が共通化される構成であってもよく、更にアンテナ数よりも多い送信部（送信機）数を備える構成であってもよい。
【００８８】
ハンドオーバ判定部３２には、上位レイヤより測定情報が入力される。測定情報とは、移動局装置から報告された通信中セルおよび周辺セルに関する測定結果の情報である。ハンドオーバ判定部３２は、測定情報を基にハンドオーバが必要と判断した場合、ハンドオーバを指示するための下りメッセージの生成を下りメッセージ生成部３３に指示する。Ａｇｇｒｅｇａｔｉｏｎ判定部３１は、移動局装置情報と測定情報とが入力され、Ｃａｒｒｉｅｒ  Ａｇｇｒｅｇａｔｉｏｎが必要な場合にＣａｒｒｉｅｒ  Ａｇｇｒｅｇａｔｉｏｎのための下りメッセージの生成を下りメッセージ生成部３３に指示する。移動局情報とは、移動局装置の能力や通信中の移動局装置の下りバッファ量などである。
【００８９】
下りメッセージ生成部３３は、上位レイヤの指示に従い適切なタイミングで移動局装置に通知する下りメッセージ（レイヤ３メッセージ）の生成に必要な情報が入力される。下りメッセージ生成部３３は、入力された情報に応じて各制御メッセージを生成する。送信信号処理部３４には、下りメッセージと下りデータ、下り制御情報が入力される。送信信号処理制御部３５には、基地局下りスケジューリング情報が入力される。基地局下りスケジューリング情報は、送信信号の変調情報などが含まれている。送信信号処理制御部３５は、送信信号処理部３４へ基地局下りスケジューリング情報を設定し、送信信号処理部３４は、入力された各データの変調を行なう。
【００９０】
送信信号処理部３４からスケジューリングに基づき出力される変調後のデータは、チャネルマッピング部３６にて物理チャネルマッピングされる。送信帯域設定部３７は、各送信部３８−１〜３８−ｎに対して送信する周波数帯域を設定する。チャネルマッピング部３６から出力される物理チャネルは、送信部３８−１〜３８−ｎに設定された周波数帯域に従ってアンテナ４０−１〜４０−ｎを介して出力される。送信制御情報は、各物理チャネルに関する送信タイミング、多重方法、リソース配置情報や関する情報が含まれている。
【００９１】
一方、基地局間メッセージは、基地局間メッセージ生成部３９に入力され、基地局間送信信号として専用線などの有線を使用して出力される。なお、図２および図３において、その他の基地局装置の構成要素は本実施形態に関係ないため省略してある。
【００９２】
図４Ａおよび図４Ｂは、本実施形態のネットワーク構成の例を示す図である。移動局装置が、Ｃａｒｒｉｅｒ  Ａｇｇｒｅｇａｔｉｏｎによって複数の周波数帯域（Ｂａｎｄ１〜Ｂａｎｄ３）で同時に通信が可能である場合、ネットワーク構成としては、図４Ａのように、ある一つの基地局装置が複数の周波数帯域（Ｂａｎｄ１〜Ｂａｎｄ３）毎に送信装置（受信装置）を備えている場合が想定される。また、これ以外にも、図４Ｂのように、周波数帯域（Ｂａｎｄ１〜Ｂａｎｄ３）毎に基地局装置を備えている場合が考えられるが、どちらも本実施形態を実現する上で問題は無い。当然、移動局装置は、図４ＡのＢａｎｄ１と図４ＢのＢａｎｄ２とをＣａｒｒｉｅｒ  Ａｇｇｒｅｇａｔｉｏｎすることによって同時に受信することが可能である。また、基地局装置は図に示したように上位の制御局によって管理することも可能であるし、基地局装置間で協調制御を行なうことによってＣａｒｒｉｅｒ  Ａｇｇｒｅｇｔｉｏｎを実現しても良い。基地局装置間で協調制御を行なう場合、制御局が不要な構成を取ることも可能である。
【００９３】
図５は、本実施形態の移動局装置がＣａｒｒｉｅｒ  Ａｇｇｒｅｇａｔｉｏｎを行なう場合に、構成される下りキャリア要素と、上りキャリア要素の対応関係の例を示した図である。各キャリア要素は２０ＭＨｚで構成されている。このとき、下りキャリア要素ＤＬ＿ＣＣ１は上りキャリア要素ＵＬ＿ＣＣ１に対応している。すなわち、ＤＬ＿ＣＣ１で受信したデータのＡＣＫ／ＮＡＣＫや受信品質のフィードバックは、ＵＬ＿ＣＣ１のリソースを用いて送信される。また、上りキャリア要素に対し、複数の下りキャリア要素が対応する場合も可能である。図５に示す例では、ＤＬ＿ＣＣ３とＤＬ＿ＣＣ４で受信したデータのＡＣＫ／ＮＡＣＫや受信品質のフィードバックは、どちらもＵＬ＿ＣＣ３のリソースを用いて送信される。移動局装置は、下りキャリア要素がどの基地局装置から送信されているか、上りキャリア要素がどの基地局装置で受信されるかを特に意識することなく、セルとして認識する。そして、選択したセルの報知情報から対応する上りキャリア要素の周波数帯域や帯域幅などの情報を取得する。
【００９４】
図６は、本実施形態における、基地局装置がＣａｒｒｉｅｒ  Ａｇｇｒｅｇａｔｉｏｎ中の移動局装置のハンドオーバの必要性を判断し、ハンドオーバ指示を通知するまでの手順について示したシーケンスチャートである。図６は、移動局装置と、第１のキャリア要素〜第４のキャリア要素とが存在し、移動局装置がＣａｒｒｉｅｒ  Ａｇｇｒｅｇａｔｉｏｎによって第１のキャリア要素〜第３のキャリア要素を受信している状態（Ｃａｒｒｉｅｒ  Ａｇｇｒｅｇａｔｉｏｎ状態）において、ハンドオーバの必要性を判断する手順について示している。すなわち、ハンドオーバ元である第１のキャリア要素〜第３のキャリア要素（ソースセル、またはソースキャリア要素と呼ばれる）は、互いに異なる周波数帯域を使用しており、ハンドオーバ先の第４のキャリア要素（ターゲットセル、またはターゲットキャリア要素とも呼ばれる）は、第１のキャリア要素〜第３のキャリア要素のいずれかと同じ周波数帯域であっても、異なる周波数帯域であっても良い。ただし、同時に同じ周波数帯域のキャリア要素を受信してはならない。
【００９５】
なお、第１のキャリア要素〜第４のキャリア要素は、それぞれ異なる基地局装置の送信機（受信機）が対応しても良いし、その幾つかまたは全てが同じ基地局装置の異なる送信機（受信機）が対応しても良い。本例の移動局装置は、少なくとも２つ以上の周波数帯域をＣａｒｒｉｅｒ  Ａｇｇｒｅｇａｔｉｏｎ可能な能力を持っているとする。なお、実際は各制御メッセージの送受信に先立ち、下り共用制御チャネルによるリソース割当てが必要であるが、図面上ならびに説明では省略してある。
【００９６】
まず、移動局装置は、Ｃａｒｒｉｅｒ  Ａｇｇｒｅｇａｔｉｏｎ状態において（ステップＳ１）、各キャリア要素における下りリファレンスシグナルをそれぞれ受信し、下り受信品質を測定する。そして、少なくとも一つのキャリア要素において、事前に基地局装置から通知されたハンドオーバ条件が成立した場合、移動局装置は測定報告を行なう（ステップＳ２）。ハンドオーバ条件とは、例えば、（１）下り受信品質が所定の閾値を下回った、（２）Ｃａｒｒｉｅｒ  Ａｇｇｒｅｇａｔｉｏｎしていないキャリア要素（ターゲットセル）の下り受信品質が所定の閾値を上回った、（３）Ｃａｒｒｉｅｒ  Ａｇｇｒｅｇａｔｉｏｎしていないキャリア要素（ターゲットセル）の下り受信品質がＣａｒｒｉｅｒ  Ａｇｇｒｅｇａｔｉｏｎ中のキャリア要素（ソースセル）の下り受信品質を上回った、などである。
【００９７】
このとき、Ｃａｒｒｉｅｒ  Ａｇｇｒｅｇａｔｉｏｎしているキャリア要素を変更するためのハンドオーバと、通常のハンドオーバとを区別するために、基地局装置から、各セルに対して周波数帯域識別子であるキャリア要素ＩＤ（Carrier Component ID、ＣＣＩＤ）を割り振ることも可能である。例えば、第１のキャリア要素と第２のキャリア要素とで同じＣＣＩＤが割り振られる場合、前記第１のキャリア要素と第２のキャリア要素はＣａｒｒｉｅｒ  Ａｇｇｒｅｇａｔｉｏｎが可能であることを示す。一方、ＣＣＩＤが異なる場合、第１のキャリア要素または第２のキャリア要素とＣａｒｒｉｅｒ  Ａｇｇｒｅｇａｔｉｏｎが出来ないことを意味する。
【００９８】
このように、ＣＣＩＤを用いることにより、移動局装置はＣａｒｒｉｅｒ  Ａｇｇｒｅｇａｔｉｏｎに関する測定報告と、それ以外の報告とを区別することが可能となる。また、基地局装置は、Ｃａｒｒｉｅｒ  Ａｇｇｒｅｇａｔｉｏｎ可能なキャリア要素（セル）のみに適用可能なハンドオーバ条件（測定イベント発生条件）を設定することが可能となる。ＣＣＩＤは報知情報で通知されるのが好適であるが、移動局装置に対して個別に通知されても良い。更に、セルＩＤをＣＣＩＤとして利用しても良い。セルＩＤを利用する場合、移動局装置は、異なる周波数帯域で同じセルＩＤを持つセルをＣａｒｒｉｅｒ  Ａｇｇｒｅｇａｔｉｏｎ可能なキャリア要素であると判断する。なお、下り受信品質として、ＥＵＴＲＡ  Ｃａｒｒｉｅｒ  ＲＳＳＩ（Received Signal Strength Indicator）、ＲＳＲＰ（Reference Signal Received Power）、ＲＳＲＱ（Reference Signal Received Quality）、ＣＱＩ（Channel Quality Indicator）、パスロスなどで表される下りリファレンスシグナルの受信測定値を用いる。
【００９９】
測定報告メッセージには、成立したハンドオーバ条件と成立したキャリア要素（ターゲットセル）を特定する情報（セルＩＤや周波数帯域、またはＣＣＩＤなど）が少なくとも含まれる。測定報告メッセージを送信する上りキャリア要素は、測定報告に含まれるハンドオーバ条件が成立したキャリア要素で送信することが好適であるが、送信可能な直近のリソースが割り当てられたキャリア要素で送信することも可能である。
【０１００】
図６の例では、第２のキャリア要素に向けて測定報告メッセージを送信した場合を示している。このとき、第２のキャリア要素における基地局装置ではハンドオーバキャリア要素判定を行ない（ステップＳ３）、報告された下り受信品質から移動局装置にハンドオーバが必要かどうかの判定と、ハンドオーバ先に適したキャリア要素（ターゲットセル）を測定報告メッセージで通知された下り通信品質から判断する。判定により、ハンドオーバが必要である場合、ハンドオーバ先として選択したキャリア要素（ターゲットセル）に対応する基地局装置へハンドオーバ要求メッセージを送信する（ステップＳ４）。ハンドオーバ先とハンドオーバ元が同一基地局装置の場合もありえる。図６では、第２のキャリア要素をＣａｒｒｉｅｒ  Ａｇｇｒｅｇａｔｉｏｎの対象から外し、新たに第４のキャリア要素を割り当てる場合の例である。
【０１０１】
ハンドオーバ要求メッセージを受けたキャリア要素の基地局装置は、移動局装置に関する情報をやり取りすると共に、送受信中のトラフィックデータを転送する。そして、上記手順が完了してハンドオーバ可能となった場合、ハンドオーバ先のキャリア要素の基地局装置は、ハンドオーバ要求メッセージを送信したキャリア要素の基地局装置に対してハンドオーバ要求許可メッセージを送信する（ステップＳ５）。そして、前記ハンドオーバ要求メッセージを受信したキャリア要素の基地局装置からハンドオーバ指示メッセージが移動局装置に対して送信される（ステップＳ６）。
【０１０２】
ここで、ハンドオーバ指示メッセージは、ハンドオーバ元のキャリア要素（ソースセル）から送信する。移動局装置は、ハンドオーバ指示メッセージを受信したキャリア要素（ソースセル）がハンドオーバ元であると判断することが可能となるため、基地局装置はハンドオーバ指示メッセージで、現在Ｃａｒｒｉｅｒ  Ａｇｇｒｅｇａｔｉｏｎしているキャリア要素のどこがハンドオーバ対象なのかを指定するための制御情報を含める必要がなくなり、情報量の削減とハンドオーバ制御の簡略化が図られる。なお、図６において、ハンドオーバ要求メッセージとハンドオーバ要求許可メッセージとを、制御局を経由させてやり取りすることも可能である。この場合、ハンドオーバキャリア要素判定を基地局装置ではなく制御局が備える。
【０１０３】
図７は、本実施形態における、ハンドオーバ指示メッセージを受信したＣａｒｒｉｅｒ  Ａｇｇｒｅｇａｔｉｏｎ中の移動局装置が、ハンドオーバを実行し、完了するまでの手順について示したシーケンスチャートである。図７は、図６の続きを示したものであり、移動局装置がＣａｒｒｉｅｒ  Ａｇｇｒｅｇａｔｉｏｎによって第１のキャリア要素〜第３のキャリア要素を受信している状態（Ｃａｒｒｉｅｒ  Ａｇｇｒｅｇａｔｉｏｎ状態：ステップＳ１）において、ハンドオーバ指示メッセージ（ステップＳ６）に従い、第２のキャリア要素をＣａｒｒｉｅｒ  Ａｇｇｒｅｇａｔｉｏｎの対象から外し、新たに第４のキャリア要素を受信するまでの手順について示している。図中の移動局装置および、キャリア要素の説明は図６と同じであるため説明を省略する。
【０１０４】
ハンドオーバ指示メッセージを受信した移動局装置は（ステップＳ６）、ハンドオーバ処理を開始する（ステップＳ７）。ハンドオーバ処理において、ハンドオーバの対象となるキャリア要素の情報（キャリア要素情報）を取得する。キャリア要素情報とは、少なくとも周波数帯域情報、セルＩＤを含む。移動局装置は、ハンドオーバ元のキャリア要素（ソースセル）の基地局装置の送信信号を受信している受信ブランチを停止し、新たに指示されたキャリア要素（ターゲットセル）の基地局装置に対応する受信ブランチを動作させ、新たに指示されたキャリア要素（ターゲットセル）の基地局装置からの送信信号の受信を開始し、無線同期を試みる。ターゲットセルからの送信信号を受信する受信ブランチは、ソースセルからの信号を受信していた受信ブランチである必要はない。下りキャリア要素と上りキャリア要素が一対一に対応している場合は、ハンドオーバ元のキャリア要素（ソースセル）の基地局装置へ送信信号を送信している送信ブランチも停止する。
【０１０５】
無線同期が完了した移動局装置は、続いて、新たに指示されたキャリア要素（ターゲットセル）の基地局装置に対応する送信ブランチを動作させ、ランダムアクセスチャネルを第４のキャリア要素に対応する基地局装置に送信する（ステップＳ８）。ハンドオーバ指示メッセージで個別プリアンブル系列が指定されている場合、前記プリアンブル系列を使用する。ランダムアクセスチャネルを検出した第４のキャリア要素に対応する基地局装置は、ランダムアクセス応答を移動局装置に対して送信する（ステップＳ９）。ランダムアクセス応答を受信した移動局装置は、ハンドオーバ完了メッセージを第４のキャリア要素に対応する基地局装置に送信する（ステップＳ１０）。第４のキャリア要素の基地局装置は、ハンドオーバが正常に完了したことをハンドオーバ先のキャリア要素の基地局装置にハンドオーバ完了通知メッセージで通知し、手順を完了する（ステップＳ１１）。ハンドオーバ先とハンドオーバ元のキャリア要素の基地局装置が同じ場合もありえる。そして、移動局装置、第１、第３および第４のキャリア要素でＣａｒｒｉｅｒ  Ａｇｇｒｅｇａｔｉｏｎ状態となる（ステップＳ１２）。
【０１０６】
なお、ランダムアクセス応答を受信するために必要となる移動局装置ＩＤは、ハンドオーバ指示メッセージで通知して良いし、ハンドオーバ前に使用していた移動局装置ＩＤ（Cell-Radio Network Temporary Identifier、Ｃ−ＲＮＴＩとも呼ばれる）を変更せずに使用することも可能である。ハンドオーバ前に使用していた移動局装置ＩＤを使用する場合、Ｃａｒｒｉｅｒ  Ａｇｇｒｅｇａｔｉｏｎされている全てのキャリア要素で同じ移動局装置ＩＤを使用し、ハンドオーバ指示メッセージで通知された場合は通知された移動局装置ＩＤを対応するキャリア要素の受信に使用し、通知されなかった場合は、引き続き同じ移動局装置ＩＤを使用し続ける。
【０１０７】
なお、図７において、新規に受信するキャリア要素（ターゲットセル）の基地局装置以外にハンドオーバ完了メッセージを送信するシーケンスも取りえる。この例を図８に示す。図８中の移動局装置および、キャリア要素の説明は図６と同じであるため説明を省略する。
【０１０８】
ハンドオーバ指示メッセージを受信した移動局装置は（ステップＳ６）、ハンドオーバ処理を開始する（ステップＳ７）。ハンドオーバ処理において、変更するキャリア要素（ソースセル）の情報（キャリア要素情報）を取得する。キャリア要素情報とは、少なくとも周波数帯域情報、セルＩＤを含む。このとき、ハンドオーバ指示メッセージには、ハンドオーバ完了メッセージを送信するハンドオーバ完了メッセージ送信キャリア要素情報が別に含まれている。移動局装置は、ハンドオーバ元のキャリア要素（ソースセル）の基地局装置の送信信号を受信している受信ブランチを停止し、新たに指示されたキャリア要素（ターゲットセル）の基地局装置に対応する受信ブランチを動作させ、新たに指示されたキャリア要素（ターゲットセル）の基地局装置からの送信信号の受信を開始し、無線同期を試みる。ターゲットセルからの送信信号を受信する受信ブランチは、ソースセルからの信号を受信していた受信ブランチである必要はない。下りキャリア要素と上りキャリア要素が一対一に対応している場合は、ハンドオーバ元のキャリア要素（ソースセル）の基地局装置へ送信信号を送信している送信ブランチも停止する。
【０１０９】
無線同期が完了した移動局装置は、続いて、新たに指示されたキャリア要素（ターゲットセル）の基地局装置に対応する送信ブランチを動作させ、ランダムアクセスチャネルを第４のキャリア要素に対応する基地局装置に送信する（ステップＳ８）。ハンドオーバ指示メッセージで個別プリアンブル系列が指定されている場合、前記プリアンブル系列を使用する。ランダムアクセスチャネルを検出した第４のキャリア要素に対応する基地局装置は、ランダムアクセス応答を移動局装置に対して送信する（ステップＳ９）。ランダムアクセス応答を受信した移動局装置は、ハンドオーバ完了メッセージを、ハンドオーバ指示メッセージで指定されたハンドオーバ完了メッセージ送信キャリア要素情報に対応する基地局装置に送信する（ステップＳ１４）。図８では、第３のキャリア要素の基地局装置が指示されたことを示している。
【０１１０】
第３のキャリア要素の基地局装置は、ハンドオーバが正常に完了したことをハンドオーバ元およびハンドオーバ先のキャリア要素の基地局装置にハンドオーバ完了通知メッセージで通知し、手順を完了する（ステップＳ１５、ステップＳ１６）。このとき、ハンドオーバ指示メッセージの情報量を削減するために、ハンドオーバ完了メッセージ送信キャリア要素情報が無い場合は、ハンドオーバ先のキャリア要素でハンドオーバ完了メッセージを送信するようにすることも可能である。あるいは、ハンドオーバ完了メッセージ送信キャリア要素情報が無い場合は、ハンドオーバ指示メッセージを受信したキャリア要素でハンドオーバ完了メッセージを送信するようにすることも可能である。そして、移動局装置、第１、第３および第４のキャリア要素でＣａｒｒｉｅｒ  Ａｇｇｒｅｇａｔｉｏｎ状態となる（ステップＳ１２）。
【０１１１】
なお、基地局装置は、ハンドオーバ完了メッセージを送信するキャリア要素情報をランダムアクセス応答に含めて送信しても良い。ハンドオーバ完了メッセージ、またはランダムアクセス応答に含まれるキャリア要素情報は、基地局装置で選択され、その選択基準は、報告された下り受信品質や、基地局装置の負荷状態、リソース割当ての有無を考慮することが出来る。基地局装置で最適と判断したキャリア要素でハンドオーバ完了メッセージを送信することが可能となるため、ハンドオーバ完了メッセージの送達確率が向上する。
【０１１２】
図６〜９の各制御メッセージは、ＥＵＴＲＡで既存の制御メッセージを再利用しても良い。例えば、ハンドオーバ指示メッセージはＲＲＣ  Ｃｏｎｎｅｃｔｉｏｎ  Ｒｅｃｏｎｆｉｇｕｒａｔｉｏｎメッセージ、ハンドオーバ完了メッセージはＲＲＣ  Ｃｏｎｎｅｃｔｉｏｎ  Ｒｅｃｏｎｆｉｇｕｒａｔｉｏｎ  Ｃｏｍｐｌｅｔｅメッセージに必要なパラメータを追加するのみで再利用が可能である。また、ハンドオーバで入れ替わるキャリア要素は最大で１つとする。複数のキャリア要素を同時に入れ替えるには、各々のキャリア要素で無線同期並びにランダムアクセス手順が必要となり、処理が複雑になるためである。
【０１１３】
図９は、図６におけるハンドオーバキャリア要素判定の一例を示したフローチャートである。本処理手順は基地局装置で行なわれることが好適であるが、制御局が同処理手順を備えても良い。まず、測定報告受信において、Ｃａｒｒｉｅｒ  Ａｇｇｒｅｇａｔｉｏｎ状態にある少なくとも一つのキャリア要素に対応する測定結果を含む測定報告メッセージが受信される（ステップＳ１７）。測定報告メッセージで報告された各キャリア要素の測定結果（下り受信品質や成立したハンドオーバ条件など）を取得し、取得した前記測定結果に基づき、ハンドオーバが必要であるかどうかを判断する（ステップＳ１８）。
【０１１４】
ハンドオーバが不要であると判断した場合、または、ハンドオーバ不可の場合、そのまま処理を終了する。一方、ハンドオーバが必要である場合、ハンドオーバ対象キャリア要素選択において、ハンドオーバとして適切なキャリア要素（ターゲットセル）を一つ選択する（ステップＳ１９）。そして、選択されたキャリア要素に対してハンドオーバを通知するためのハンドオーバ要求メッセージを生成し（ステップＳ２０）、前記ハンドオーバ要求メッセージを送信する（ステップＳ２１）。
【０１１５】
図９のフローチャートは、例えば基地局装置または制御局における処理手順の一例であって、Ｃａｒｒｉｅｒ  Ａｇｇｒｅｇａｔｉｏｎ状態の移動局装置が受信しているキャリア要素の測定結果に基づいて移動局装置のハンドオーバの必要性を判断し、ハンドオーバによって変更されるキャリア要素を選択する方法であれば、これ以外の処理手順が用いられても良い。
【０１１６】
図１０は、図７〜９における移動局装置のハンドオーバ処理手順の一例を示したフローチャートである。移動局装置は、ハンドオーバ指示メッセージ受信において、基地局装置から送信されたハンドオーバ指示メッセージを受信する（ステップＳ２２）。そして、ハンドオーバ対象キャリア要素情報取得において、ハンドオーバの制御内容を確認する（ステップＳ２３）。具体的には、ハンドオーバ元である現在Ｃａｒｒｉｅｒ  Ａｇｇｒｅｇａｔｉｏｎ中のいずれかのキャリア要素（ソースセル）と、ハンドオーバ先のキャリア要素（ターゲットセル）を把握する。上述したように、ソースセルに関する情報は通知されず、移動局装置は、ハンドオーバ指示メッセージを受信したキャリア要素をソースセルと判断する。
【０１１７】
そして、パラメータ設定において、ソースセルからターゲットセルへの切り替えを行なう（ステップＳ２４）。具体的には、ハンドオーバ先のキャリア要素に対応する基地局装置からの下り送信信号を受信するため、移動局装置の受信装置に対して受信周波数帯域や帯域幅、その他物理チャネルの受信に必要なパラメータを設定し、同期確立を試みる。同期確立が成功した場合、ランダムアクセスチャネルを生成する（ステップＳ２５）。個別プリアンブル系列が指定されていた場合、個別プリアンブル系列に基づいてランダムアクセスチャネルを生成する。個別プリアンブル系列が指定されていない場合、ランダムに選択したプリアンブル系列に基づいてランダムアクセスチャネルを生成する。そして、生成したランダムアクセスチャネルを、ハンドオーバ先であるキャリア要素の基地局装置に対して送信する（ステップＳ２６）。
【０１１８】
図１０のフローチャートは、移動局装置における処理手順の一例であって、移動局装置が、受信したハンドオーバ指示メッセージからハンドオーバ元のキャリア要素とハンドオーバ先のキャリア要素を把握し、指定されたパラメータに基づいて、ハンドオーバを実行する方法であれば、これ以外の処理手順が用いられても良い。
【０１１９】
本実施形態によれば、移動局装置は、Ｃａｒｒｅｉｒ  Ａｇｒｒｅｇａｔｉｏｎ状態において、キャリア要素ＩＤが同じキャリア要素（セル）と、異なるキャリア要素（セル）とを区別してハンドオーバに関する測定報告を行なう。また、移動局装置は、基地局装置の指示によってキャリア要素ＩＤが同じキャリア要素（セル）に対するハンドオーバ手順を開始し、キャリア要素（セル）を変更する。基地局装置は、移動局装置の測定報告に基づき、ハンドオーバさせるキャリア要素（セル）を移動局装置に通知する。
【０１２０】
本実施形態により、移動局装置は、Ｃａｒｒｉｅｒ  Ａｇｇｒｅｇａｔｉｏｎに関する測定報告と、それ以外の測定報告とを区別して制御することが可能となり、基地局装置に対して不要な測定結果を送信する必要が無くなるため、上り送信リソースを有効に使用することが可能となる。また、基地局装置は、移動局装置がＣａｒｒｉｅｒ  Ａｇｇｒｅｇａｔｉｏｎ状態で複数の周波数帯域を受信している場合であっても、ハンドオーバ指示メッセージに、ハンドオーバ後に受信を停止するキャリア要素の情報を含める必要が無いため、シグナリングの情報量を減らすことが可能となる。また、ハンドオーバ完了メッセージを送信するキャリア要素を基地局装置から指定することで、ハンドオーバ完了メッセージの送達確率が向上し、ハンドオーバ成功確率を向上させることが可能となる。
【０１２１】
（第２の実施形態）
次に、本発明の第２の実施形態について説明する。第１の実施形態では、ハンドオーバ指示メッセージは、ハンドオーバ元のキャリア要素（セル）から送信されていた。しかしながら、ハンドオーバが指示されるということは、比較的受信品質が悪いキャリア要素（セル）であることを意味し、ハンドオーバ指示メッセージの受信を失敗する確率も高い。そこで、本実施形態では、Ｃａｒｒｉｅｒ  Ａｇｇｒｅｇａｔｉｏｎされている他のキャリア要素でハンドオーバ指示メッセージを送信することによって、ハンドオーバ指示メッセージの受信成功確率ならびにハンドオーバ成功確率を向上させる方法を示す。本実施形態における移動局装置の受信装置と送信装置、および基地局装置の受信装置と送信装置は第１の実施形態と同じでよい。本実施形態のネットワーク構成は図５と同じでよい。
【０１２２】
図１１は、本実施形態における、基地局装置がＣａｒｒｉｅｒ  Ａｇｇｒｅｇａｔｉｏｎ中の移動局装置のハンドオーバの必要性を判断し、ハンドオーバ指示を通知するまでの手順について示したシーケンスチャートである。測定報告メッセージを受信した第２のキャリア要素（ソースセル）の基地局装置が、ハンドオーバ要求許可メッセージを受信するまでは、図６と同じであるため説明を略す。すなわち、測定報告メッセージには、成立したハンドオーバ条件と成立したキャリア要素（ターゲットセル）を特定する情報（セルＩＤや周波数帯域、またはＣＣＩＤなど）が少なくとも含まれる。
【０１２３】
図６と異なる点として、ハンドオーバ要求許可メッセージを受信したキャリア要素の基地局装置が、メッセージ送信キャリア要素判定を行ない（ステップＳ２７）、ハンドオーバ指示メッセージを移動局装置へ送信するのに最も適したキャリア要素（セル）を選択し、選択したキャリア要素の基地局装置に向けてハンドオーバ指示メッセージを転送することである（ステップＳ２８）。このとき、当然ながらハンドオーバ元のキャリア要素は選択されない。また、ハンドオーバ要求許可メッセージを受信したキャリア要素が最適な場合、メッセージは転送されない。ハンドオーバ指示メッセージが転送されたキャリア要素の基地局装置は、ハンドオーバ指示メッセージを移動局装置に対して送信する（ステップＳ２９）。図１１では、ハンドオーバ指示メッセージを送信するキャリア要素（セル）として第１のキャリア要素が最適と判断され、第２のキャリア要素からハンドオーバ指示メッセージが転送された例を示している。
【０１２４】
基地局装置はハンドオーバ指示メッセージで、現在Ｃａｒｒｉｅｒ  Ａｇｇｒｅｇａｔｉｏｎしているキャリア要素のどこがハンドオーバ対象なのかを指定するためのソースセル識別情報を含める。ソースセル識別情報は、例えばセルＩＤや周波数帯域、またはＣＣＩＤなどである。なお、図１１において、ハンドオーバ要求メッセージとハンドオーバ要求許可メッセージとを、制御局を経由させてやり取りすることも可能である。この場合、メッセージ送信キャリア要素判定を基地局装置ではなく制御局が備える。同様に、メッセージ送信キャリア要素決定を制御局に備えることも可能であり、この場合、ハンドオーバ指示メッセージを送信するキャリア要素は制御局で決定し、ハンドオーバ要求許可メッセージは前記制御局が決定した基地局装置へと送信される（図示せず）。
【０１２５】
図１２は、本実施形態における、ハンドオーバ指示メッセージを受信したＣａｒｒｉｅｒ  Ａｇｇｒｅｇａｔｉｏｎ中の移動局装置が、ハンドオーバを実行し、完了するまでの手順について示したシーケンスチャートである。図１２は、図１１の続きを示したものであり、ハンドオーバ指示メッセージが、ハンドオーバ元のキャリア要素（ソースセル）の基地局装置以外からも送信される可能性がある以外は、図７と同じである。図中の移動局装置および、キャリア要素の説明は図６と同じであるため説明を省略する。
【０１２６】
ハンドオーバ指示メッセージを受信した移動局装置は（ステップＳ２９）、ハンドオーバ処理２を開始する（ステップＳ３０）。ハンドオーバ処理２において、ハンドオーバの対象となるキャリア要素の情報（キャリア要素情報）と、ソースセル識別情報を取得する。キャリア要素情報とは、少なくとも周波数帯域情報、セルＩＤを含む。移動局装置は、ハンドオーバ元のキャリア要素（ソースセル）の基地局装置の送信信号を受信している受信ブランチを停止し、新たに指示されたキャリア要素（ターゲットセル）の基地局装置に対応する受信ブランチを動作させ、新たに指示されたキャリア要素（ターゲットセル）の基地局装置からの送信信号の受信を開始し、無線同期を試みる。ターゲットセルからの送信信号を受信する受信ブランチは、ソースセルからの信号を受信していた受信ブランチである必要はない。下りキャリア要素と上りキャリア要素が一対一に対応している場合は、ハンドオーバ元のキャリア要素（ソースセル）の基地局装置へ送信信号を送信している送信ブランチも停止する。
【０１２７】
無線同期が完了した移動局装置は、続いて、新たに指示されたキャリア要素（ターゲットセル）の基地局装置に対応する送信ブランチを動作させ、ランダムアクセスチャネルを第４のキャリア要素に対応する基地局装置に送信する（ステップＳ３１）。ハンドオーバ指示メッセージで個別プリアンブル系列が指定されている場合、前記プリアンブル系列を使用する。ランダムアクセスチャネルを検出した第４のキャリア要素に対応する基地局装置は、ランダムアクセス応答を移動局装置に対して送信する（ステップＳ３２）。ランダムアクセス応答を受信した移動局装置は、ハンドオーバ完了メッセージを第４のキャリア要素に対応する基地局装置に送信する（ステップＳ３３）。第４のキャリア要素の基地局装置は、ハンドオーバが正常に完了したことをハンドオーバ先のキャリア要素の基地局装置にハンドオーバ完了通知メッセージで通知し、手順を完了する（ステップＳ３４）。ハンドオーバ先とハンドオーバ元のキャリア要素の基地局装置が同じ場合もありえる。
【０１２８】
なお、図１２において、新規に受信するキャリア要素（ターゲットセル）の基地局装置以外にハンドオーバ完了メッセージを送信するシーケンスも取りえる。この例を図１３に示す。図中の移動局装置および、キャリア要素の説明は図１１と同じであるため説明を省略する。ハンドオーバ指示メッセージを受信した移動局装置は（ステップＳ２９）、ハンドオーバ処理２を開始する（ステップＳ３０）。ハンドオーバ処理２において、変更するキャリア要素（ソースセル）の情報（キャリア要素情報）を取得する。キャリア要素情報とは、少なくとも周波数帯域情報、セルＩＤを含む。このとき、ハンドオーバ指示メッセージには、ハンドオーバ完了メッセージを送信するハンドオーバ完了メッセージ送信キャリア要素情報が別に含まれている。
【０１２９】
移動局装置は、ハンドオーバ元のキャリア要素（ソースセル）の基地局装置の送信信号を受信している受信ブランチを停止し、新たに指示されたキャリア要素（ターゲットセル）の基地局装置に対応する受信ブランチを動作させ、新たに指示されたキャリア要素（ターゲットセル）の基地局装置からの送信信号の受信を開始し、無線同期を試みる。ターゲットセルからの送信信号を受信する受信ブランチは、ソースセルからの信号を受信していた受信ブランチである必要はない。下りキャリア要素と上りキャリア要素が一対一に対応している場合は、ハンドオーバ元のキャリア要素（ソースセル）の基地局装置へ送信信号を送信している送信ブランチも停止する。
【０１３０】
無線同期が完了した移動局装置は、続いて、新たに指示されたキャリア要素（ターゲットセル）の基地局装置に対応する送信ブランチを動作させ、ランダムアクセスチャネルを第４のキャリア要素に対応する基地局装置に送信する（ステップＳ３１）。ハンドオーバ指示メッセージで個別プリアンブル系列が指定されている場合、前記プリアンブル系列を使用する。ランダムアクセスチャネルを検出した第４のキャリア要素に対応する基地局装置は、ランダムアクセス応答を移動局装置に対して送信する（ステップＳ３２）。ランダムアクセス応答を受信した移動局装置は、ハンドオーバ完了メッセージを、ハンドオーバ指示メッセージで指定されたハンドオーバ完了メッセージ送信キャリア要素情報に対応する基地局装置に送信する（ステップＳ３５）。図１３では、第１のキャリア要素の基地局装置が指示されたことを示している。
【０１３１】
第１のキャリア要素の基地局装置は、ハンドオーバが正常に完了したことをハンドオーバ元およびハンドオーバ先のキャリア要素の基地局装置にハンドオーバ完了通知メッセージで通知し、手順を完了する（ステップＳ３６、ステップＳ３７）。このとき、ハンドオーバ指示メッセージの情報量を削減するために、ハンドオーバ完了メッセージ送信キャリア要素情報が無い場合は、ハンドオーバ先のキャリア要素でハンドオーバ完了メッセージを送信するようにすることも可能である。あるいは、ハンドオーバ完了メッセージ送信キャリア要素情報が無い場合は、ハンドオーバ指示メッセージを受信したキャリア要素でハンドオーバ完了メッセージを送信するようにすることも可能である。
【０１３２】
なお、基地局装置は、ハンドオーバ完了メッセージを送信するキャリア要素情報をランダムアクセス応答に含めて送信しても良い。ハンドオーバ完了メッセージ、またはランダムアクセス応答に含まれるキャリア要素情報は、基地局装置で選択され、その選択基準は、報告された下り受信品質や、基地局装置の負荷状態、リソース割当ての有無を考慮することが出来る。基地局装置で最適と判断したキャリア要素でハンドオーバ完了メッセージを送信することが可能となるため、ハンドオーバ完了メッセージの送達確率が向上する。
【０１３３】
図１１〜１４の各制御メッセージは、ＥＵＴＲＡで既存の制御メッセージを再利用しても良い。例えば、ハンドオーバ指示メッセージはＲＲＣ  Ｃｏｎｎｅｃｔｉｏｎ  Ｒｅｃｏｎｆｉｇｕｒａｔｉｏｎメッセージ、ハンドオーバ完了メッセージはＲＲＣ  Ｃｏｎｎｅｃｔｉｏｎ  Ｒｅｃｏｎｆｉｇｕｒａｔｉｏｎ  Ｃｏｍｐｌｅｔｅメッセージに必要なパラメータを追加するのみで再利用が可能である。
【０１３４】
また、ハンドオーバで入れ替わるキャリア要素は最大で１つとする。複数のキャリア要素を同時に入れ替えるには、各々のキャリア要素で無線同期並びにランダムアクセス手順が必要となり、処理が複雑になるためである。
【０１３５】
図１４は、図１１におけるメッセージ送信キャリア要素判定の一例を示したフローチャートである。本処理手順はハンドオーバ要求許可メッセージを受信したキャリア要素の基地局装置で行なわれることが好適であるが、制御局が同処理手順を備えても良い。まず、ハンドオーバ要求許可メッセージ受信において、ハンドオーバ先のキャリア要素の基地局装置からハンドオーバの準備が完了したことが通知される（ステップＳ３８）。そして、Ｃａｒｒｉｅｒ  Ａｇｇｒｅｇａｔｉｏｎ中である各キャリア要素を比較し（ステップＳ３９）、ハンドオーバ指示メッセージを送信するキャリア要素の基地局装置を一つ選択する（ステップＳ４０）。選択基準として、報告された下り受信品質や、基地局装置の負荷状態、リソース割当ての有無を考慮することが出来る。
【０１３６】
続いて、選択したメッセージ送信キャリア要素に対してハンドオーバ指示メッセージの転送が必要であるかどうかを判断する（ステップＳ４１）。すなわち、本処理手順を実行中のキャリア要素が選択された場合は転送の必要は無いため、処理を終了する。転送する必要がある場合、選択したキャリア要素を転送先に指定してハンドオーバ指示メッセージを転送する（ステップＳ４２）。
【０１３７】
図１４のフローチャートは、例えば基地局装置または制御局における処理手順の一例であって、Ｃａｒｒｉｅｒ  Ａｇｇｒｅｇａｔｉｏｎ状態の移動局装置が受信しているキャリア要素のうち、ハンドオーバ指示メッセージを送信するのに最適なキャリア要素を選択する方法であれば、これ以外の処理手順が用いられても良い。
【０１３８】
図１５は、図１２〜１４における移動局装置のハンドオーバ処理手順の一例を示したフローチャートである。移動局装置は、ハンドオーバ指示メッセージ受信において、基地局装置から送信されたハンドオーバ指示メッセージを受信する（ステップＳ４３）。そして、ハンドオーバ対象キャリア要素情報取得において、ハンドオーバの制御内容を確認する（ステップＳ４４）。具体的には、ハンドオーバ元である現在Ｃａｒｒｉｅｒ  Ａｇｇｒｅｇａｔｉｏｎ中のいずれかのキャリア要素（ソースセル）と、ハンドオーバ先のキャリア要素（ターゲットセル）を把握する。次に、ソースセル識別で、ハンドオーバ指示メッセージで通知されたソースセル識別情報からソースセルを把握する（ステップＳ４５）。
【０１３９】
そして、パラメータ設定において、ソースセルからターゲットセルへの切り替えを行なう（ステップＳ４６）。具体的には、ハンドオーバ先のキャリア要素に対応する基地局装置からの下り送信信号を受信するため、移動局装置の受信装置に対して受信周波数帯域や帯域幅、その他物理チャネルの受信に必要なパラメータを設定し、同期確立を試みる。同期確立が成功した場合、ランダムアクセスチャネルを生成する（ステップＳ４７）。個別プリアンブル系列が指定されていた場合、個別プリアンブル系列に基づいてランダムアクセスチャネルを生成する。個別プリアンブル系列が指定されていない場合、ランダムに選択したプリアンブル系列に基づいてランダムアクセスチャネルを生成する。そして、生成したランダムアクセスチャネルを、ハンドオーバ先であるキャリア要素の基地局装置に対して送信する（ステップＳ４８）。
【０１４０】
図１５のフローチャートは、移動局装置における処理手順の一例であって、移動局装置が、受信したハンドオーバ指示メッセージからハンドオーバ元のキャリア要素とハンドオーバ先のキャリア要素を把握し、指定されたパラメータに基づいて、ハンドオーバを実行する方法であれば、これ以外の処理手順が用いられても良い。
【０１４１】
本実施形態によれば、基地局装置は、ハンドオーバ実施時点で最適なキャリア要素の基地局装置を、ハンドオーバ指示メッセージを送信するキャリア要素の基地局装置として選択する。また、移動局装置は、ハンドオーバ指示メッセージに含まれるソースセル識別情報に基づいて、ハンドオーバ元のキャリア要素を識別する。
【０１４２】
本実施形態により、基地局装置は、移動局装置がＣａｒｒｉｅｒ  Ａｇｇｒｅｇａｔｉｏｎ状態で複数の周波数帯域を受信している場合に、最適な周波数帯域でハンドオーバ指示メッセージを送信することが可能となるため、ハンドオーバ指示メッセージの送達確率が向上し、ハンドオーバ成功確率を向上させることが可能となる。
【０１４３】
（第３の実施形態）
次に、本発明の第３の実施形態について説明する。第１の実施形態ならびに第２の実施形態では、ハンドオーバ完了メッセージ前に、ハンドオーバ先のキャリア要素（ターゲットセル）に対してランダムアクセスチャネルを送信し、上り同期を確立させる必要があった。しかし、Ｃａｒｒｉｅｒ  Ａｇｇｒｅｇａｔｉｏｎ中の各キャリア要素が同一基地局装置で制御されており、かつ各キャリア要素の上り受信タイミングがほぼ同じであれば、同一基地局装置のキャリア要素を変更するハンドオーバ時において、上り同期を確立する必要が無く、ランダムアクセス手順を省略することが可能となる。
【０１４４】
そこで、本実施形態では、ランダムアクセス手順を省略することで、高速にハンドオーバが実行可能な方法を示す。本実施形態における移動局装置の受信装置と送信装置、および基地局装置の受信装置と送信装置は第１の実施形態と同じでよい。ただし、本実施形態は、図４Ａに示したようにＣａｒｒｉｅｒ  Ａｇｇｒｅｇａｔｉｏｎ中のキャリア要素、およびハンドオーバ先のキャリア要素は全て同じ基地局装置で制御されている必要がある。
【０１４５】
図１６は、本実施形態における、ハンドオーバ指示メッセージを受信したＣａｒｒｉｅｒ  Ａｇｇｒｅｇａｔｉｏｎ中の移動局装置が、ハンドオーバを実行し、完了するまでの手順について示したシーケンスチャートである。図中の移動局装置および、キャリア要素の説明は図６〜図７と同じであるため説明を省略する。
【０１４６】
ハンドオーバ指示メッセージを受信した移動局装置は（ステップＳ２）、ハンドオーバ処理３を開始する（ステップＳ４９）。ハンドオーバ処理３において、ハンドオーバの対象となるキャリア要素の情報（キャリア要素情報）と、ソースセル識別情報を取得する。キャリア要素情報とは、少なくとも周波数帯域情報、セルＩＤを含む。移動局装置は、ハンドオーバ元のキャリア要素（ソースセル）の基地局装置の送信信号を受信している受信ブランチを停止し、新たに指示されたキャリア要素（ターゲットセル）の基地局装置に対応する受信ブランチを動作させ、新たに指示されたキャリア要素（ターゲットセル）の基地局装置からの送信信号の受信を開始し、無線同期を試みる。ターゲットセルからの送信信号を受信する受信ブランチは、ソースセルからの信号を受信していた受信ブランチである必要はない。下りキャリア要素と上りキャリア要素が一対一に対応している場合は、ハンドオーバ元のキャリア要素（ソースセル）の基地局装置へ送信信号を送信している送信ブランチも停止する。
【０１４７】
無線同期が完了した移動局装置は、ランダムアクセスチャネルの送信を省略し、新たに指示されたキャリア要素（ターゲットセル）の基地局装置に対応する送信ブランチを動作させ、ハンドオーバ完了メッセージをハンドオーバ先であるキャリア要素に対応する基地局装置に送信する（ステップＳ５０）。ハンドオーバ完了メッセージを送信するためのリソース割当て情報は、ハンドオーバ指示メッセージに含まれるか、ハンドオーバ先のキャリア要素の基地局装置が送信する下り共用制御チャネルを受信することで得る。本例は、ハンドオーバ先のキャリア要素として第４のキャリア要素が指定された場合を示す。第４のキャリア要素の基地局装置は、ハンドオーバが正常に完了したことをハンドオーバ先のキャリア要素の基地局装置にハンドオーバ完了通知メッセージで通知し、手順を完了する（ステップＳ５１）。本実施形態では、ハンドオーバ先とハンドオーバ元のキャリア要素の基地局装置は必ず同じであるため、ハンドオーバ完了通知メッセージを省略しても良い。
【０１４８】
図１７は、図１６における移動局装置のハンドオーバ処理手順の一例を示したフローチャートである。移動局装置は、ハンドオーバ指示メッセージ受信において、基地局装置から送信されたハンドオーバ指示メッセージを受信する（ステップＳ５２）。そして、ハンドオーバ対象キャリア要素情報取得において、ハンドオーバの制御内容を確認する（ステップＳ５３）。具体的には、ハンドオーバ元である現在Ｃａｒｒｉｅｒ  Ａｇｇｒｅｇａｔｉｏｎ中のいずれかのキャリア要素（ソースセル）と、ハンドオーバ先のキャリア要素（ターゲットセル）を把握する。
【０１４９】
ここで、第１の実施形態のように、ハンドオーバ指示メッセージを受信したキャリア要素をソースセルと判断しても、第２の実施形態のように、ハンドオーバ指示メッセージに含まれるソースセル識別情報で明示的にソースセルを指定しても良い。そして、パラメータ設定において、ソースセルからターゲットセルへの切り替えを行なう（ステップＳ５４）。具体的には、ハンドオーバ先のキャリア要素に対応する基地局装置からの下り送信信号を受信するため、移動局装置の受信装置に対して受信周波数帯域や帯域幅、その他物理チャネルの受信に必要なパラメータを設定し、同期確立を試みる。更に、移動局装置は、ハンドオーバ指示メッセージで通知される情報に基づき、ランダムアクセス手順が必要なハンドオーバか否かを判断する（ステップＳ５５）。
【０１５０】
ステップＳ５５において、基地局装置は、次のいずれかの方法を用いてランダムアクセス手順が不要と移動局装置に判断させることが可能である。（１）ハンドオーバ指示メッセージにランダムアクセス不要識別子を含める、（２）個別プリアンブルの番号の一部を予約し、ハンドオーバ指示メッセージで前記個別プリアンブルの番号を指定する、（３）ハンドオーバ指示メッセージで同じＣＣＩＤのキャリア要素、または異なる周波数帯域で同じセルＩＤを持つキャリア要素をターゲットセルとして指定する、（４）現在使用している移動局装置ＩＤ（Ｃ−ＲＮＴＩ）と同じ移動局装置ＩＤをハンドオーバ指示メッセージで指定する、（５）同期確立が成功したターゲットセルに対応する上りキャリア要素が、現在送信している上りキャリア要素のいずれかと等しい（図５において、少なくともＤＬ＿ＣＣ３で受信し、ＵＬ＿ＣＣ３で送信している移動局装置が、ＤＬ＿ＣＣ４をターゲットセルとして指定された場合）。前記５の場合、ターゲットセルの報知情報から対応する上りキャリア要素の周波数帯域を知ることも可能であるし、ハンドオーバ指示メッセージに含めることも可能である。
【０１５１】
移動局装置は、ランダムアクセス手順が必要と判断した場合、同期確立後にランダムアクセスチャネルを生成する（ステップＳ５６）。個別プリアンブル系列が指定されていた場合、個別プリアンブル系列に基づいてランダムアクセスチャネルを生成する。個別プリアンブル系列が指定されていない場合、ランダムに選択したプリアンブル系列に基づいてランダムアクセスチャネルを生成する。そして、生成したランダムアクセスチャネルを、ハンドオーバ先であるキャリア要素の基地局装置に対して送信する（ステップＳ５７）。
【０１５２】
移動局装置は、ランダムアクセス手順が不要と判断した場合、同期確立後にハンドオーバ完了メッセージを生成する（ステップＳ５８）。そして、生成したハンドオーバ完了メッセージを、ハンドオーバ先であるキャリア要素の基地局装置に対して送信する（ステップＳ５９）。
【０１５３】
図１７のフローチャートは、移動局装置における処理手順の一例であって、移動局装置が、受信したハンドオーバ指示メッセージからハンドオーバ元のキャリア要素とハンドオーバ先のキャリア要素を把握し、更に、ランダムアクセスチャネルの送信が必要か否かを判断し、指定されたパラメータに基づいて、ランダムアクセス手順が必要なハンドオーバ手順か、ランダムアクセス手順が不要なハンドオーバのいずれかを実行する方法であれば、これ以外の処理手順が用いられても良い。
【０１５４】
本実施形態によれば、基地局装置は、ランダムアクセス手順が必要なハンドオーバとランダムアクセス手順が必要なハンドオーバのいずれかを移動局装置に通知する。また、移動局装置は、基地局装置からの指示に基づき、ランダムアクセス手順が必要なハンドオーバとランダムアクセス手順が必要なハンドオーバとを判断し、判断に基づくハンドオーバ手順を実行する。
【０１５５】
本実施形態により、基地局装置は、上り同期を確立するためにランダムアクセスチャネルを送信する必要が無い場合、ランダムアクセス手順を省略させることが可能となり、ハンドオーバ手順に必要な処理時間を短縮することで通信の瞬断を削減できるため、通信品質が向上する。また、移動局装置は、ランダムアクセス手順の省略によりハンドオーバ時に必要な消費電力を削減することが出来る。
【０１５６】
（第４の実施形態）
次に、本発明の第４の実施形態について説明する。第１の実施形態から第３の実施形態では、ソフトハンドオーバのように、移動局装置が受信している周波数帯域のうち、少なくとも一つはハンドオーバ手順の前後で変わらないハンドオーバ手順について説明してきた。しかしながら、Ｃａｒｒｉｅｒ  Ａｇｇｒｅｇａｔｉｏｎ状態にある各キャリア要素の受信品質と、周辺基地局装置の各周波数帯域のキャリア要素の受信品質を全て比較するのは非常に複雑であり、移動局装置の計算処理が膨大となる恐れがある。
【０１５７】
そこで、本実施形態では、ハンドオーバの必要性を判断するために測定するキャリア要素を制限し、更に、ハンドオーバ時にＣａｒｒｉｅｒ  Ａｇｇｒｅｇａｔｉｏｎ状態を解除することにより、ハンドオーバ手順を簡略化する方法を示す。本実施形態における移動局装置の受信装置と送信装置、および基地局装置の受信装置と送信装置は第１の実施形態と同じでよい。本実施形態のネットワーク構成は図５と同じでよい。
【０１５８】
図１８は、本実施形態における、ハンドオーバ指示メッセージを受信したＣａｒｒｉｅｒ  Ａｇｇｒｅｇａｔｉｏｎ中の移動局装置が、ハンドオーバを実行し、完了するまでの手順について示したシーケンスの一例である。図中の移動局装置および、キャリア要素の説明は図６〜図７と同じであるため説明を省略する。
【０１５９】
本実施形態の移動局装置は、測定報告メッセージに必要な上りリソースと、キャリア要素間の受信品質の比較に必要な計算量を削減するために、ハンドオーバのための測定報告をＣａｒｒｉｅｒ  Ａｇｇｒｅｇａｔｉｏｎ状態にある全てのキャリア要素で行なうのではなく、代表した一つのキャリア要素（以後、メインキャリアと称する）のみに制限して行なう。移動局装置は、メインキャリアを以下のいずれかの方法で判断する。（１）基地局装置からの制御メッセージで移動局装置毎に個別に指定される、（２）キャリア要素（セル）固有の数値のうち最も大きいもの、または最も小さいもの、（３）Ｃａｒｒｅｉｒ  Ａｇｇｒｅｇａｔｉｏｎしているキャリア要素のうち最も低い周波数帯域、または最も高い周波数帯域、（４）基地局装置からの制御メッセージでメインキャリア専用の測定条件が指示される。
【０１６０】
上記（２）の方法については、報知情報に固有の数値が含まれていても良いし、セルＩＤまたはグローバルセルＩＤを使用しても良い。本制限により、例えば、第１のキャリア要素〜第５のキャリア要素の５つのキャリア要素（セル）をＣａｒｒｉｅｒ  Ａｇｇｒｅｇａｔｉｏｎしている場合、従来であればＣａｒｒｉｅｒ  Ａｇｇｒｅｇａｔｉｏｎ状態にあるキャリア間の受信品質の比較は１０通りの組み合わせがあるが、メインキャリアとそれ以外のキャリア要素のみに制限すると４通りにまで削減できる。
【０１６１】
ハンドオーバ指示メッセージを受信した移動局装置は（ステップＳ２）、ハンドオーバ処理４を開始する（ステップＳ６０）。ハンドオーバ処理４において、ハンドオーバの対象となるキャリア要素の情報（キャリア要素情報）を取得する。キャリア要素情報とは、少なくとも周波数帯域情報、セルＩＤを含み、ターゲットセルを示す。基地局装置は、ハンドオーバ元のキャリア要素（ソースセル）の情報は不要であるため、ハンドオーバ指示メッセージには含めない。移動局装置は、Ｃａｒｒｉｅｒ  Ａｇｇｒｅｇａｔｉｏｎ状態にある全てのキャリア要素の基地局装置の送信信号を受信している受信ブランチを停止し、新たに指示されたキャリア要素（ターゲットセル）の基地局装置に対応する受信ブランチを動作させ、新たに指示されたキャリア要素（ターゲットセル）の基地局装置からの送信信号の受信を開始し、無線同期を試みる。ターゲットセルからの送信信号を受信する受信ブランチは、ソースセルからの信号を受信していた受信ブランチである必要はない。下りキャリア要素と上りキャリア要素が一対一に対応している場合は、ハンドオーバ元のキャリア要素（ソースセル）の基地局装置へ送信信号を送信している送信ブランチも停止する。
【０１６２】
無線同期が完了した移動局装置は、続いて、新たに指示されたキャリア要素（ターゲットセル）の基地局装置に対応する送信ブランチを動作させ、ランダムアクセスチャネルを第４のキャリア要素に対応する基地局装置に送信する（ステップＳ６１）。ハンドオーバ指示メッセージで個別プリアンブル系列が指定されている場合、前記プリアンブル系列を使用する。ランダムアクセスチャネルを検出した第４のキャリア要素に対応する基地局装置は、ランダムアクセス応答を移動局装置に対して送信する（ステップＳ６２）。ランダムアクセス応答を受信した移動局装置は、ハンドオーバ完了メッセージを第４のキャリア要素に対応する基地局装置に送信する（ステップＳ６３）。
【０１６３】
第４のキャリア要素の基地局装置は、ハンドオーバが正常に完了したことをハンドオーバ前にＣａｒｒｉｅｒ  Ａｇｇｒｅｇａｔｉｏｎしていたキャリア要素の基地局装置にハンドオーバ完了通知メッセージで通知し、手順を完了する（ステップＳ６４、ステップＳ６５、ステップＳ６６）。図１８では、各キャリア要素へハンドオーバ完了通知メッセージを送信している例を示しているが、ハンドオーバ前にＣａｒｒｉｅｒ  Ａｇｇｒｅｇａｔｉｏｎしていた全てのキャリア要素が同じ基地局装置の異なる周波数帯域であれば、ハンドオーバ完了通知メッセージは一度送信すれば良い。ハンドオーバ先とハンドオーバ元のキャリア要素の基地局装置が同じ場合もありえる。
【０１６４】
図１９は、図１８における移動局装置のハンドオーバ処理手順の一例を示したフローチャートである。移動局装置は、ハンドオーバ指示メッセージ受信において、基地局装置から送信されたハンドオーバ指示メッセージを受信する（ステップＳ６７）。そして、ハンドオーバ対象キャリア要素情報取得において、ハンドオーバの制御内容を確認する（ステップＳ６８）。具体的には、ハンドオーバ先のキャリア要素（ターゲットセル）を把握する。ここで、移動局装置はハンドオーバ元のキャリア要素を現在Ｃａｒｒｉｅｒ  Ａｇｇｒｅｇａｔｉｏｎ状態の全てのキャリア要素が対象であると判断する。続いて、Ｃａｒｒｉｅｒ  Ａｇｇｒｅｇａｔｉｏｎ解除において、現在Ｃａｒｒｉｅｒ  Ａｇｇｒｅｇａｔｉｏｎしているキャリア要素（セル）からの送信信号の受信を全て停止する（ステップＳ６９）。
【０１６５】
そして、パラメータ設定において、ソースセルからターゲットセルへの切り替えを行なう（ステップＳ６９）。具体的には、ハンドオーバ先のキャリア要素に対応する基地局装置からの下り送信信号を受信するため、移動局装置の受信装置に対して受信周波数帯域や帯域幅、その他物理チャネルの受信に必要なパラメータを設定し、同期確立を試みる（ステップＳ７０）。
【０１６６】
同期確立が成功した場合、ランダムアクセスチャネルを生成する（ステップＳ７１）。個別プリアンブル系列が指定されていた場合、個別プリアンブル系列に基づいてランダムアクセスチャネルを生成する。個別プリアンブル系列が指定されていない場合、ランダムに選択したプリアンブル系列に基づいてランダムアクセスチャネルを生成する。そして、生成したランダムアクセスチャネルを、ハンドオーバ先であるキャリア要素の基地局装置に対して送信する（ステップＳ７２）。
【０１６７】
図１９のフローチャートは、移動局装置における処理手順の一例であって、移動局装置が、ハンドオーバ指示メッセージを受信した後に現在Ｃａｒｒｉｅｒ  Ａｇｇｒｅｇａｔｉｏｎ状態にある全てのキャリア要素を解除する必要があることを判断し、ハンドオーバを実行する方法であれば、これ以外の処理手順が用いられても良い。
【０１６８】
図２０は、図１９のハンドオーバ処理４の変形例を示したものである。図１９と異なる点として、同一ＣＣＩＤ判断処理が追加されている。移動局装置は、ハンドオーバ指示メッセージ受信において、基地局装置から送信されたハンドオーバ指示メッセージを受信する（ステップＳ７３）。そして、ハンドオーバ対象キャリア要素情報取得において、ハンドオーバの制御内容を確認する（ステップＳ７４）。具体的には、ハンドオーバ先のキャリア要素（ターゲットセル）とＣＣＩＤを把握する。そして、同一ＣＣＩＤ判断において、ハンドオーバ対象キャリア要素情報取得によって把握したハンドオーバ先のキャリア要素（ターゲットセル）のＣＣＩＤが、現在Ｃａｒｒｉｅｒ  Ａｇｇｒｅｇａｔｉｏｎしているキャリア要素のＣＣＩＤと同じかどうかを判断する（ステップＳ７５）。
【０１６９】
ステップＳ７５において、ＣＣＩＤが異なる場合、Ｃａｒｒｉｅｒ  Ａｇｇｒｅｇａｔｉｏｎ解除において、現在Ｃａｒｒｉｅｒ  Ａｇｇｒｅｇａｔｉｏｎしているキャリア要素（セル）からの送信信号の受信を全て停止する（ステップＳ７６）。以降の処理（ステップＳ７７〜ステップＳ７９）は図１９のステップＳ７０〜ステップＳ７２と同じである。ＣＣＩＤが同じ場合、Ｃａｒｒｉｅｒ  Ａｇｇｒｅｇａｔｉｏｎ状態にある、いずれかのキャリア要素をソースセルとしたＣａｒｒｉｅｒ  Ａｇｇｒｅｇａｔｉｏｎ状態を維持したハンドオーバであると判断する。そして、第１の実施形態または第２の実施形態の方法を用いてハンドオーバ元のキャリア要素（ソースセル）を把握する。以降の処理（ステップＳ７７〜ステップＳ７９）は図１９のステップＳ７０〜ステップＳ７２と同じである。なお、ＣＣＩＤが同じであった場合に、第３の実施形態のようにランダムアクセス手順を省略する方法も取りえることも可能である（図示せず）。
【０１７０】
本実施形態により、移動局装置は、各キャリア要素の受信品質を比較するための計算量を大幅に削減することが可能となる。また、基地局装置は、移動局装置がＣａｒｒｉｅｒ  Ａｇｇｒｅｇａｔｉｏｎ状態で複数の周波数帯域を受信している場合であっても、ハンドオーバ指示メッセージに、ハンドオーバ後に受信を停止するキャリア要素の情報を含める必要が無いため、シグナリングの情報量を減らすことが可能となる。また、ハンドオーバ完了メッセージを送信するキャリア要素の情報を含める必要が無いため、シグナリングの情報量を減らすことが可能となる。
【０１７１】
なお、以上説明した実施形態において、移動局装置および基地局装置の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行なっても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１７２】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１７３】
１−１、１−２  アンテナ（送信および受信）
２−１、２−２  ＤＵＰ
３−１、３−２  無線受信部
４−１〜４−４  直交復調器
５−１〜５−４  ベースバンド復調部
６  ディマッピング部
７  マッピング部
８  送受信帯域設定部
９  送信信号処理制御部
１０  受信信号処理制御部
１１  ランダムアクセス生成部
１２  制御メッセージ処理部
１３−１、１３−２  無線送信部
１４−１〜１４−４  直交変調器
１５−１〜１５−４  ベースバンド変調部
１６  ハンドオーバ制御部
１７  上り制御メッセージ生成部
１８  測定処理部
２０  アンテナ
２１  受信部
２２  受信信号処理制御部
２３  受信信号処理部
２４  上りメッセージ処理部
２５  ランダムアクセス処理部
２６  基地局間メッセージ処理部
３１  Ａｇｇｒｅｇａｔｉｏｎ判定部
３２  ハンドオーバ判定部
３３  下りメッセージ生成部
３４  送信信号処理部
３５  送信信号処理制御部
３６  チャネルマッピング部
３７  送信帯域設定部
３８−１〜３８−ｎ  送信部
３９  基地局間メッセージ生成部
４０−１〜４０−ｎ  アンテナ
【図１Ａ】
2010082521.tif 000003
【図１Ｂ】
2010082521.tif 000004
【図１Ｃ】
2010082521.tif 000005
【図１Ｄ】
2010082521.tif 000006
【図２】
2010082521.tif 000007
【図３】
2010082521.tif 000008
【図４Ａ】
2010082521.tif 000009
【図４Ｂ】
2010082521.tif 000010
【図５】
2010082521.tif 000011
【図６】
2010082521.tif 000012
【図７】
2010082521.tif 000013
【図８】
2010082521.tif 000014
【図９】
2010082521.tif 000015
【図１０】
2010082521.tif 000016
【図１１】
2010082521.tif 000017
【図１２】
2010082521.tif 000018
【図１３】
2010082521.tif 000019
【図１４】
2010082521.tif 000020
【図１５】
2010082521.tif 000021
【図１６】
2010082521.tif 000022
【図１７】
2010082521.tif 000023
【図１８】
2010082521.tif 000024
【図１９】
2010082521.tif 000025
【図２０】
2010082521.tif 000026
【図２１】
2010082521.tif 000027
【図２２】
2010082521.tif 000028
【図２３】
2010082521.tif 000029
【図２４】
2010082521.tif 000030
【手続補正書】
【提出日】平成23年7月4日(2011.7.4)
【手続補正１】
【補正対象書類名】特許請求の範囲
【補正対象項目名】全文
【補正方法】変更
【補正の内容】
【特許請求の範囲】
【請求項１】
異なる複数の周波数のセルから送信される送信信号を受信して基地局装置と無線通信を行う移動局装置であって、
前記複数の周波数のセルである第１のセルとの通信を少なくとも一つ継続したままの状態で、前記基地局装置からターゲットセル情報によって新たに指定された第２のセルとの通信の開始を指示するメッセージを受信した場合に、
前記第２のセルに対してランダムアクセスチャネルの送信が必要であるかどうかを前記メッセージで通知される情報に基づき判断し、
前記判断の結果、前記ランダムアクセスチャネルの送信が不要である場合はランダムアクセス手順を省略して前記第２のセルにアクセスし、前記ランダムアクセスチャネルの送信が必要である場合はランダムアクセス手順を開始して前記第２のセルへのアクセスを行なうことを特徴とする移動局装置。
【請求項２】
前記基地局装置から、前記ランダムアクセスチャネルの送信が必要か否かを示す一つまたは複数のセルで共通の識別子を含むメッセージを受信することによって、前記第２のセルに対して前記ランダムアクセスチャネルの送信が必要であるかどうかを判断することを特徴とする請求項１記載の移動局装置。
【請求項３】
前記基地局装置から、事前に予約された一部の個別プリアンブルの番号を含むメッセージを受信することによって、前記第２のセルに対して前記ランダムアクセスチャネルの送信が必要であるかどうかを判断することを特徴とする請求項１記載の移動局装置。
【請求項４】
前記基地局装置から、前記移動局装置が受信している下りリンクの周波数に割り振られた周波数識別子と同じ周波数識別子を含むメッセージを受信することによって、前記第２のセルに対して前記ランダムアクセスチャネルの送信が必要であるかどうかを判断することを特徴とする請求項１記載の移動局装置。
【請求項５】
前記基地局装置から、前記メッセージ受信前に前記移動局装置がアクセスしていた上りリンクの周波数のいずれかと同じ上りリンクの周波数を含むメッセージを受信することによって、前記第２のセルに対して前記ランダムアクセスチャネルの送信が必要であるかどうかを判断することを特徴とする請求項１記載の移動局装置。
【請求項６】
異なる複数の周波数のセルから送信される送信信号を受信する移動局装置と無線通信を行なう基地局装置であって、
前記移動局装置に対して、前記複数の周波数のセルである第１のセルとの通信を少なくとも一つ継続したままの状態で、ターゲットセル情報によって新たに指定される第２のセルとの通信の開始を指示するメッセージを送信する場合に、前記第２のセルに対して前記ランダムアクセスチャネルの送信が必要であるか否かを判断し、前記判断に基づいて、ランダムアクセス手順の要否の判断に用いる制御情報を前記メッセージに含めて送信することを特徴とする基地局装置。
【請求項７】
一つまたは複数のセルで共通の識別子を含めることによって、前記第２のセルに対して前記ランダムアクセスチャネルの送信が必要であるかどうかを前記移動局装置に判断させることを特徴とする請求項６記載の基地局装置。
【請求項８】
個別プリアンブルの番号の一部を予約し、前記個別プリアンブルの番号を指定することによって、前記第２のセルに対して前記ランダムアクセスチャネルの送信が必要であるかどうかを前記移動局装置に判断させることを特徴とする請求項６記載の基地局装置。
【請求項９】
前記移動局装置が受信している下りリンクの周波数に割り振られた周波数識別子と同じ周波数識別子を含めることによって、前記第２のセルに対して前記ランダムアクセスチャネルの送信が必要であるかどうかを前記移動局装置に判断させることを特徴とする請求項６記載の基地局装置。
【請求項１０】
前記メッセージ受信前に前記移動局装置がアクセスしていた上りリンクの周波数のいずれかと同じ上りリンクの周波数を含めることによって、前記第２のセルに対して前記ランダムアクセスチャネルの送信が必要であるかどうかを前記移動局装置に判断させることを特徴とする請求項６記載の基地局装置。
【請求項１１】
請求項１から請求項５のいずれかに記載の移動局装置と、請求項６から請求項１０のいずれかに記載の基地局装置と、から構成されることを特徴とする移動通信システム。
【請求項１２】
異なる複数の周波数のセルから送信される送信信号を受信して基地局装置と無線通信を行う移動局装置のハンドオーバ方法であって、
前記複数の周波数のセルである第１のセルとの通信を少なくとも一つ継続したままの状態で、前記基地局装置からターゲットセル情報によって新たに指定された第２のセルとの通信の開始を指示するメッセージを受信した場合に、
前記第２のセルに対してランダムアクセスチャネルの送信が必要であるかどうかを前記メッセージで通知される情報に基づき判断し、
前記判断の結果、前記ランダムアクセスチャネルの送信が不要である場合はランダムアクセス手順を省略して前記第２のセルにアクセスし、前記ランダムアクセスチャネルの送信が必要である場合はランダムアクセス手順を開始して前記第２のセルへのアクセスを行なうことを特徴とする移動局装置のハンドオーバ方法。
【請求項１３】
前記基地局装置から、前記ランダムアクセスチャネルの送信が必要か否かを示す一つまたは複数のセルで共通の識別子を含むメッセージを受信することによって、前記第２のセルに対して前記ランダムアクセスチャネルの送信が必要であるかどうかを判断することを特徴とする請求項１２記載の移動局装置のハンドオーバ方法。
【請求項１４】
前記基地局装置から、事前に予約された一部の個別プリアンブルの番号を含むメッセージを受信することによって、前記第２のセルに対して前記ランダムアクセスチャネルの送信が必要であるかどうかを判断することを特徴とする請求項１２記載の移動局装置のハンドオーバ方法。
【請求項１５】
前記基地局装置から、前記移動局装置が受信している下りリンクの周波数に割り振られた周波数識別子と同じ周波数識別子を含むメッセージを受信することによって、前記第２のセルに対して前記ランダムアクセスチャネルの送信が必要であるかどうかを判断することを特徴とする請求項１２記載の移動局装置のハンドオーバ方法。
【請求項１６】
前記基地局装置から、前記メッセージ受信前に前記移動局装置がアクセスしていた上りリンクの周波数のいずれかと同じ上りリンクの周波数を含むメッセージを受信することによって、前記第２のセルに対して前記ランダムアクセスチャネルの送信が必要であるかどうかを判断することを特徴とする請求項１２記載の移動局装置のハンドオーバ方法。
【国際調査報告】
2010082521.tif 000031
2010082521.tif 000032
2010082521.tif 000033